(57)【特許請求の範囲】
【請求項１】
センサポートであって、
頂部および底部を備えるセンサポートハウジングと、
前記頂部および底部に沿ってセンサポートハウジング内に配置され、かつ対向電極接点構成を有する第１のアナライトセンサと接触するように構成された第１の組のセンサポート接点と、
前記頂部または底部に沿ってセンサポートハウジング内に配置され、かつ共面電極接点構成を有する第２のアナライトセンサと接触するように構成された第２の組のセンサポート接点とを備え、
第１のアナライトセンサの電極接点が、センサポートへの第１のアナライトセンサの挿入に応じて、センサポートハウジングの頂部および底部の両方で第１の組のセンサポート接点と接触するように構成され、かつ
第２のアナライトセンサの電極接点が、センサポートへの第２のアナライトセンサの挿入に応じて、センサポートハウジングの頂部または底部のいずれかで第２の組のセンサポート接点と接触するように構成される、センサポート。
【請求項２】
第１のアナライトセンサがブドウ糖センサであり、第２のアナライトセンサがケトンセンサである、請求項１に記載のセンサポート。
【請求項３】
第１と第２のアナライトセンサが、ブドウ糖センサである、請求項１に記載のセンサポート。
【請求項４】
センサポートが、異なる幅を有するアナライトセンサを受容するように構成された、請求項１に記載のセンサポート。
【請求項５】
センサポートが、側壁と、アナライトセンサの挿入期間中に側壁に対しアナライトセンサを位置決めするように構成された付勢機構とを含む、請求項４に記載のセンサポート。
【請求項６】
第１のアナライトセンサが、第２のアナライトセンサを上回る幅を有する、請求項４に記載のセンサポート。
【請求項７】
第１のアナライトセンサが、第２のアナライトセンサを下回る幅を有する、請求項４に記載のセンサポート。
【請求項８】
センサポートが、これに摺動可能に係合するアナライトセンサ排出装置を備える、請求項１に記載のセンサポート。
【請求項９】
センサポートが、第１のアナライトセンサのセンサポートへの挿入時に第１のアナライトセンサに接触するように構成された少なくとも４個のセンサポート接点と、第２のアナライトセンサのセンサポートへの挿入時に第２のアナライトセンサに接触するように構成された少なくとも３個のセンサポート接点とを備える、請求項１に記載のセンサポート。
【請求項１０】
センサポートが、少なくとも７個の異なるセンサポート接点を備える、請求項９に記載のセンサポート。
【請求項１１】
センサポートが、少なくとも９個の異なるセンサポート接点を備える、請求項１０に記載のセンサポート。
【請求項１２】
少なくとも４個のセンサポート接点のうち１個をセンサポートの頂部に取り付け、少なくとも４個のセンサポート接点のうち３個をセンサポートの底部に取り付けた、請求項９に記載のセンサポート。
【請求項１３】
少なくとも３個のセンサポート接点をセンサポートの頂部に取り付けた、請求項９に記載のセンサポート。
【請求項１４】
センサポートが、センサポート頂部からセンサポート内部に延在する保護突起を備える、請求項９に記載のセンサポート。
【請求項１５】
センサポートであって、
頂部および底部を備えるセンサポートハウジングと、
前記頂部および底部に沿ってセンサポートハウジング内に配置され、かつ第１の幅および対向電極接点構成を有する第１のアナライトセンサと接触するように構成された第１の組のセンサポート接点と、
前記頂部または底部に沿ってセンサポートハウジング内に配置され、かつ第２の幅および共面電極接点構成を有する第２のアナライトセンサと接触するように構成された第２の組のセンサポート接点と、
側壁と、第１および第２のアナライトセンサのセンサポートへの挿入期間中に側壁に対し第１および第２のアナライトセンサを位置決めするように構成された付勢機構とを備え、
第１のアナライトセンサの電極接点が、センサポートへの第１のアナライトセンサの挿入に応じて、センサポートハウジングの頂部および底部の両方で第１の組のセンサポート接点と接触するように構成され、かつ
第２のアナライトセンサの電極接点が、センサポートへの第２のアナライトセンサの挿入に応じて、センサポートハウジングの頂部または底部のいずれかで第２の組のセンサポート接点と接触するように構成される、センサポート。
【請求項１６】
第１のアナライトセンサが、第２のアナライトセンサを上回る幅を有する、請求項１５に記載のセンサポート。
【請求項１７】
第１のアナライトセンサが、第２のアナライトセンサを下回る幅を有する、請求項１５に記載のセンサポート。
【請求項１８】
アナライト計であって、
アナライト計ハウジングと、
アナライト計ハウジングに結合したセンサポートとを備え、
前記センサポートが、頂部および底部を備えるセンサポートハウジングと、
前記頂部および底部に沿ってセンサポートハウジング内に配置され、かつ対向電極接点構成を有する第１のアナライトセンサと接触するように構成された第１の組のセンサポート接点と、
前記頂部または底部に沿ってセンサポートハウジング内に配置され、かつ共面電極接点構成を有する第２のアナライトセンサと接触するように構成された第２の組のセンサポート接点とを備え、前記アナライト計がさらに、
アナライト計ハウジングに結合した処理装置を備え、前記処理装置が、
第１のアナライトセンサの挿入に応じて、センサポートハウジングの頂部および底部の両方で第１の組のセンサポート接点から信号を受信し、
第２のアナライトセンサの挿入に応じて、センサポートハウジングの頂部または底部のいずれかで第２の組のセンサポート接点から信号を受信し、かつ、
第１または第２のアナライトセンサと接触したサンプルのアナライト濃度を特定するようにプログラムされた、アナライト計。
【請求項１９】
第１のアナライトセンサがブドウ糖センサであり、第２のアナライトセンサがケトンセンサである、請求項１８に記載のアナライト計。
【請求項２０】
第１と第２のアナライトセンサが、共にブドウ糖センサである、請求項１８に記載のアナライト計。
【請求項２１】
通信装置をさらに備える、請求項１８に記載のアナライト計。
【請求項２２】
通信装置が、アナライト計とアナライト計外部の装置および／またはネットワークとの間に双方向通信を提供するように構成された、請求項２１に記載のアナライト計。
【請求項２３】
通信装置が、アナライト計とアナライト計外部のネットワークとの間に双方向通信を提供するように構成された、請求項２１に記載のアナライト計。
【請求項２４】
ネットワークが、コンピュータネットワークである、請求項２３に記載のアナライト計。
【請求項２５】
通信装置が、ユニバーサルシリアルバス（ＵＳＢ）コネクタを備える、請求項２１に記載のアナライト計。
【請求項２６】
通信装置が、アナライト計と外部装置および／またはネットワークとの間に無線通信を提供するように構成された、請求項２１に記載のアナライト計。
【請求項２７】
通信装置が、無線周波（ＲＦ）プロトコルと赤外線（ＩＲ）プロトコルから選択される無線通信プロトコルを用いる、請求項２６に記載のアナライト計。
【請求項２８】
通信装置が、アナライト計と外部装置との間に無線通信を提供するように構成され、外部装置が無線周波識別（ＲＦＩＤ）タグを含み、通信装置が、ＲＦ無線通信プロトコルを用いて無線周波識別（ＲＦＩＤ）タグと通信するように構成された、請求項２６に記載のアナライト計。
【請求項２９】
通信装置が、符号分割多元接続（ＣＤＭＡ）、およびＧｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）から選択される無線通信プロトコルを用いる、請求項２６に記載のアナライト計。
【請求項３０】
通信装置が、アナライト計と外部装置との間に無線通信を提供するように構成された、請求項２１に記載のアナライト計。
【請求項３１】
外部装置が、薬剤投与装置または移植されあるいは一部移植されたアナライトセンサである、請求項３０に記載のアナライト計。
【請求項３２】
外部装置が、インシュリンポンプである、請求項３０に記載のアナライト計。
【請求項３３】
処理装置と通信可能にあるディスプレイ装置をさらに備える、請求項１８に記載のアナライト計。
【請求項３４】
ディスプレイ装置が、タッチスクリーンを備える、請求項３３に記載のアナライト計。
【請求項３５】
ディスプレイ装置が、液晶ディスプレイ（ＬＣＤ）を備える、請求項３３に記載のアナライト計。
【請求項３６】
センサポートが、異なる幅を有するアナライトセンサを受容するように構成された、請求項１８に記載のアナライト計。
【請求項３７】
センサポートが、側壁と、アナライトセンサの挿入期間中に側壁に対しアナライトセンサを位置決めするように構成された付勢機構とを含む、請求項３６に記載のアナライト計。
【請求項３８】
第１のアナライトセンサが、第２のアナライトセンサを上回る幅を有する、請求項３６に記載のアナライト計。
【請求項３９】
第１のアナライトセンサが、第２のアナライトセンサを下回る幅を有する、請求項３６に記載のアナライト計。
【請求項４０】
センサポートが、これに摺動可能に係合するアナライトセンサ排出装置を備える、請求項１８に記載のアナライト計。
【請求項４１】
センサポートが、第１のアナライトセンサのセンサポートへの挿入時に第１のアナライトセンサに接触するように構成された少なくとも４個のセンサポート接点と、第２のアナライトセンサのセンサポートへの挿入時に第２のアナライトセンサに接触するように構成された少なくとも３個のセンサポート接点とを備える、請求項１８に記載のアナライト計。
【請求項４２】
センサポートが、少なくとも７個の異なるセンサポート接点を備える、請求項４１に記載のアナライト計。
【請求項４３】
センサポートが、少なくとも９個の異なるセンサポート接点を備える、請求項４２に記載のアナライト計。
【請求項４４】
少なくとも４個のセンサポート接点のうちの１個をセンサポートの頂部に取り付け、少なくとも４個のセンサポート接点のうち３個をセンサポートの底部に取り付けた、請求項４３に記載のアナライト計。
【請求項４５】
少なくとも３個のセンサポート接点をセンサポートの頂部に取り付けた、請求項４３に記載のアナライト計。
【請求項４６】
センサポートが、センサポート頂部からセンサポート内部に延在する保護突起を備える、請求項４３に記載のアナライト計。
【請求項４７】
アナライト計であって、
アナライト計ハウジングと、
アナライト計ハウジングに結合したセンサポートとを備え、
前記センサポートが、頂部および底部を備えるセンサポートハウジングと、
前記頂部および底部に沿ってセンサポートハウジング内に配置され、かつ第１の幅および対向電極接点構成を有する第１のアナライトセンサと接触するように構成された第１の組のセンサポート接点と、
前記頂部または底部に沿ってセンサポートハウジング内に配置され、かつ第２の幅および共面電極接点構成を有する第２のアナライトセンサと接触するように構成された第２の組のセンサポート接点と、
側壁と、第１および第２のアナライトセンサのセンサポートへの挿入期間中に側壁に対し第１および第２のアナライトセンサを位置決めするように構成された付勢機構とを備え、前記アナライト計がさらに、
アナライト計ハウジングに結合した処理装置を備え、前記処理装置が、
第１のアナライトセンサの挿入に応じて、センサポートハウジングの頂部および底部の両方で第１の組のセンサポート接点から信号を受信し、
第２のアナライトセンサの挿入に応じて、センサポートハウジングの頂部または底部のいずれかで第２の組のセンサポート接点から信号を受信し、かつ
第１または第２のアナライトセンサと接触したサンプルのアナライト濃度を特定するようにプログラムされた、アナライト計。
【請求項４８】
第１のアナライトセンサが、第２のアナライトセンサを上回る幅を有する、請求項４７に記載のアナライト計。
【請求項４９】
第１のアナライトセンサが、第２のアナライトセンサを下回る幅を有する、請求項４７に記載のアナライト計。
【請求項５０】
医療装置であって、
医療装置ハウジングと、
医療装置ハウジングに結合したセンサポートとを備え、
前記センサポートが、頂部および底部を備えるセンサポートハウジングと、
前記頂部および底部に沿ってセンサポートハウジング内に配置され、かつ対向電極接点構成を有する第１のアナライトセンサと接触するように構成された第１の組のセンサポート接点と、
前記頂部または底部に沿ってセンサポートハウジング内に配置され、かつ共面電極接点構成を有する第２のアナライトセンサと接触するように構成された第２の組のセンサポート接点とを備え、
第１のアナライトセンサの電極接点が、センサポートへの第１のアナライトセンサの挿入に応じて、センサポートハウジングの頂部および底部の両方で第１の組のセンサポート接点と接触するように構成され、かつ
第２のアナライトセンサの電極接点が、センサポートへの第２のアナライトセンサの挿入に応じて、センサポートハウジングの頂部または底部のいずれかで第２の組のセンサポート接点と接触するように構成される、医療装置。
【請求項５１】
医療装置が薬剤投与装置である、請求項５０に記載の医療装置。
【請求項５２】
薬剤投与装置がインシュリンポンプである、請求項５１に記載の医療装置。
【請求項５３】
医療装置がアナライト計である、請求項５０に記載の医療装置。
【請求項５４】
医療装置であって、
医療装置ハウジングと、
医療装置ハウジングに結合したセンサポートとを備え、
前記センサポートが、頂部および底部を備えるセンサポートハウジングと、
前記頂部および底部に沿ってセンサポートハウジング内に配置され、かつ第１の幅および対向電極接点構成を有する第１のアナライトセンサと接触するように構成された第１の組のセンサポート接点と、
前記頂部または底部に沿ってセンサポートハウジング内に配置され、かつ第１の幅とは異なる第２の幅および共面電極接点構成を有する第２のアナライトセンサと接触するように構成された第２の組のセンサポート接点と、
側壁と、第１および第２のアナライトセンサのセンサポートへの挿入期間中に側壁に対し第１および第２のアナライトセンサを位置決めするように構成された付勢機構とを備え、
第１のアナライトセンサの電極接点が、センサポートへの第１のアナライトセンサの挿入に応じて、センサポートハウジングの頂部および底部の両方で第１の組のセンサポート接点と接触するように構成され、かつ
第２のアナライトセンサの電極接点が、センサポートへの第２のアナライトセンサの挿入に応じて、センサポートハウジングの頂部または底部のいずれかで第２の組のセンサポート接点と接触するように構成された、医療装置。
【請求項５５】
第１のアナライトセンサが、第２のアナライトセンサを上回る幅を有する、請求項５４に記載の医療装置。
【請求項５６】
第１のアナライトセンサが、第２のアナライトセンサを下回る幅を有する、請求項５４に記載の医療装置。
【発明の詳細な説明】
【技術分野】
【０００１】
汎用試験片ポートに関する。
【背景技術】
【０００２】
化学や医学では、対象とする生物学的アナライトの存在および／または濃度の特定にしばしば分析センサや分析計が用いられる。例えば、この種の分析センサや分析計は糖尿病患者のブドウ糖および／またはケトン濃度の監視に用いられている。
【先行技術文献】
【特許文献】
【０００３】
【特許文献１】米国特許出願公開第２００６／００９１００６号明細書
【特許文献２】米国特許出願公開第２００８／０２６７８２３号明細書
【特許文献３】米国特許第６，５９２，７４５号明細書
【特許文献４】米国特許第６，１４３，１６４号明細書
【特許文献５】米国特許第６，０７１，３９１号明細書
【特許文献６】米国特許第６，５０３，３８１号明細書
【特許文献７】米国特許第６，６１６，８１９号明細書
【特許文献８】米国特許第６，７７３，６７１号明細書
【特許文献９】米国特許第６，８９３，５４５号明細書
【特許文献１０】米国特許出願公開第２００７／０１５３３５５号明細書
【特許文献１１】米国特許出願公開第２００８／０２３４５５９号明細書
【特許文献１２】米国特許出願公開第２００８／０１１９７０９号明細書
【特許文献１３】米国特許出願公開第２００５／０００９１２６号明細書
【特許文献１４】米国特許出願公開第２００７／００９５６６１号明細書
【特許文献１５】米国特許出願公開第２００６／００２５６６２号明細書
【特許文献１６】米国特許出願公開第２００７／０１０８０４８号明細書
【特許文献１７】米国特許出願公開第２００８／０１０２４４１号明細書
【特許文献１８】米国特許出願公開第２００８／００６６３０５号明細書
【特許文献１９】米国特許出願公開第２００７／０１９９８１８号明細書
【特許文献２０】米国特許出願公開第２００８／０１４８８７３号明細書
【特許文献２１】米国特許出願公開第２００７／００６８８０７号明細書
【特許文献２２】米国特許出願公開第２００９／００９５６２５号明細書
【特許文献２３】米国特許第６，５２６，２９８号明細書
【特許文献２４】米国特許第７，０４１，４６８号明細書
【特許文献２５】米国特許第６，１７５，７５２号明細書
【特許文献２６】米国特許第５，３５６，７８６号明細書
【特許文献２７】米国特許第６，５６０，４７１号明細書
【特許文献２８】米国特許第５，２６２，０３５号明細書
【特許文献２９】米国特許第６，８８１，５５１号明細書
【特許文献３０】米国特許第６，１２１，００９号明細書
【特許文献３１】米国特許第７，１６７，８１８号明細書
【特許文献３２】米国特許第６，２７０，４５５号明細書
【特許文献３３】米国特許第６，１６１，０９５号明細書
【特許文献３４】米国特許第５，９１８，６０３号明細書
【特許文献３５】米国特許第６，１４４，８３７号明細書
【特許文献３６】米国特許第５，６０１，４３５号明細書
【特許文献３７】米国特許第５，８２２，７１５号明細書
【特許文献３８】米国特許第５，８９９，８５５号明細書
【特許文献３９】米国特許第６，１２０，６７６号明細書
【特許文献４０】米国特許第６，２９９，７５７号明細書
【特許文献４１】米国特許第６，３３８，７９０号明細書
【特許文献４２】米国特許第６，３７７，８９４号明細書
【特許文献４３】米国特許第６，６００，９９７号明細書
【特許文献４４】米国特許第６，５１４，４６０号明細書
【特許文献４５】米国特許第５，６２８，８９０号明細書
【特許文献４６】米国特許第５，８２０，５５１号明細書
【特許文献４７】米国特許第６，７３６，９５７号明細書
【特許文献４８】米国特許第４，５４５，３８２号明細書
【特許文献４９】米国特許第４，７１１，２４５号明細書
【特許文献５０】米国特許第５，５０９，４１０号明細書
【特許文献５１】米国特許第６，５４０，８９１号明細書
【特許文献５２】米国特許第６，７３０，２００号明細書
【特許文献５３】米国特許第６，７６４，５８１号明細書
【特許文献５４】米国特許第６，４６１，４９６号明細書
【特許文献５５】米国特許第６，５９１，１２５号明細書
【特許文献５６】米国特許第６，６１８，９３４号明細書
【特許文献５７】米国特許第６，６７６，８１６号明細書
【特許文献５８】米国特許第６，７４９，７４０号明細書
【特許文献５９】米国特許第６，９４２，５１８号明細書
【特許文献６０】米国特許第６，５１４，７１８号明細書
【特許文献６１】米国特許第５，２６４，０１４号明細書
【特許文献６２】米国特許第５，２６２，３０５号明細書
【特許文献６３】米国特許第５，３２０，７１５号明細書
【特許文献６４】米国特許第５，５９３，８５２号明細書
【特許文献６５】米国特許第６，７４６，５８２号明細書
【特許文献６６】米国特許第６，２８４，４７８号明細書
【特許文献６７】米国特許第７，２９９，０８２号明細書
【特許文献６８】米国特許出願公開第２００４／０１８６３６５号明細書
【特許文献６９】米国特許出願公開第２００８／０３１９２９６号明細書
【特許文献７０】米国特許出願公開第２００９／００５４７４９号明細書
【特許文献７１】米国特許出願公開第２００９／０２９４２７７号明細書
【特許文献７２】米国特許出願公開第２００８／０３１９２９５号明細書
【特許文献７３】米国仮特許出願公開第６１／２４７，５１９号明細書
【特許文献７４】米国仮特許出願公開第６１／１５５，８８９号明細書
【特許文献７５】米国仮特許出願公開第６１／２３８，５８１号明細書
【特許文献７６】米国仮特許出願公開第６１／１６３，００６号明細書
【特許文献７７】米国仮特許出願公開第６１／２４７，５０８号明細書
【特許文献７８】米国仮特許出願公開第６１／２９１，３２６号明細書
【特許文献７９】米国特許出願公開第２００８／０１１９７０２号明細書
【特許文献８０】米国特許出願公開第２００８／０１１４２８０号明細書
【特許文献８１】米国特許出願公開第２００８／０１１９７１０号明細書
【特許文献８２】米国特許出願公開第２００６／０２２４１４１号明細書
【特許文献８３】米国特許出願公開第２００４／０２５４４３４号明細書
【特許文献８４】米国特許第５，５３６，２４９号明細書
【特許文献８５】米国特許第５，９２５，０２１号明細書
【特許文献８６】米国特許第６，２８１，００６号明細書
【特許文献８７】米国特許第６，６３８，７１６号明細書
【発明の概要】
【発明が解決しようとする課題】
【０００４】
現在利用可能な多くのアナライト計は、試験プロセス期間中にアナライト計のセンサポートにセンサを挿入する構成としている。様々なセンサ構成が現在利用可能であるため、様々な構成を有するアナライトセンサを受容可能なセンサポートや計器を開発することが望ましく、かつ有用である。
【０００５】
本開示は、異なる大きさと形状および／または電極構成を有する複数のアナライトセンサを受容する構成とされたセンサポートを提供するものである。同様に提供されるのが、開示するセンサポートを用いたアナライト計、アナライト監視装置および／またはシステム、薬剤投与装置および／またはシステムである。本開示のこれらならびに他の目的と特徴および利点は、下記の実施形態の詳細な説明と添付の特許請求の範囲と添付の図面からより完全に明らかとなろう。
【課題を解決するための手段】
【０００６】
本開示の第１の態様では、センサポートハウジングとこのセンサポートハウジング内に配置された複数のセンサポート接点とを含むセンサポートが提供され、ここでセンサポートは対向電極構成を有する第１のアナライトセンサと共面電極構成を有する第２のアナライトセンサとを受容する構成とされる。
【０００７】
第１の態様の実施形態では、第１のアナライトセンサはブドウ糖センサとされ、第２のアナライトセンサはケトンセンサとされる。
【０００８】
第１の態様の別の実施形態では、第１と第２のアナライトセンサは共にブドウ糖センサとされる。
【０００９】
第１の態様の別の実施形態では、センサポートは通信装置を含む。
【００１０】
第１の態様の別の実施形態では、センサポートは通信装置を含み、この通信装置はセンサポートとこのセンサポート外部の装置および／またはネットワークとの間に双方向通信を提供する構成とされる。
【００１１】
第１の態様の別の実施形態では、センサポートは通信装置を含み、この通信装置はセンサポートとこのセンサポート外部のネットワークとの間に双方向通信を提供する構成とされる。
【００１２】
第１の態様の別の実施形態では、センサポートは通信装置を含み、この通信装置はセンサポートとこのセンサポート外部のネットワークとの間に双方向通信を提供する構成とされ、ネットワークはコンピュータネットワークとされる。
【００１３】
第１の態様の別の実施形態では、センサポートは通信装置を含み、この通信装置はユニバーサルシリアルバス（ＵＳＢ）コネクタを含む。
【００１４】
第１の態様の別の実施形態では、センサポートは通信装置を含み、この通信装置はセンサポートと外部装置および／またはネットワークとの間に無線通信を提供する構成とされる。
【００１５】
第１の態様の別の実施形態では、センサポートは通信装置を含み、この通信装置はセンサポートと外部装置および／またはネットワークとの間に無線通信を提供する構成とされ、通信装置は無線周波（ＲＦ）プロトコルと赤外線（ＩＲ）プロトコルから選択される無線通信プロトコルを用いる。
【００１６】
第１の態様の別の実施形態では、センサポートは通信装置含み、この通信装置はセンサポートと外部装置の間に無線通信を提供する構成とされ、外部装置は無線周波識別（ＲＦＩＤ）タグを含み、通信装置はＲＦ無線通信プロトコルを用いて無線周波識別（ＲＦＩＤ）タグと通信する。
【００１７】
第１の態様の別の実施形態では、センサポートは通信装置を含み、この通信装置はセンサポートと外部装置および／またはネットワークとの間に無線通信を提供する構成とされ、通信装置はＺｉｇＢｅｅ（登録商標）、ＷｉＦｉ（Ｒ）、Ｂｌｕｅｔｏｏｔｈ（登録商標）、符号分割多元接続（ＣＤＭＡ）、およびＧｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）（登録商標）から選択される無線通信プロトコルを用いる。
【００１８】
第１の態様の別の実施形態では、センサポートは通信装置を含み、この通信装置はセンサポートと外部装置との間に無線通信を提供する構成とされる。
【００１９】
第１の態様の別の実施形態では、センサポートは通信装置を含み、通信装置はセンサポートと外部装置との間に無線通信を提供する構成とされ、外部装置は薬剤投与装置または移植されあるいは一部移植されたアナライトセンサとされる。
【００２０】
第１の態様の別の実施形態では、センサポートは通信装置を含み、この通信装置はセンサポートと外部装置との間に無線通信を提供する構成とされ、外部装置はインシュリンポンプとされる。
【００２１】
第１の態様の別の実施形態では、センサポートは異なる幅を有するアナライトセンサを受容する構成とされる。
【００２２】
第１の態様の別の実施形態では、センサポートは異なる幅を有するアナライトセンサを受容する構成とされ、センサポートは側壁とアナライトセンサの挿入期間中に側壁に対しアナライトセンサを位置決めする構成の付勢機構とを含む。
【００２３】
第１の態様の別の実施形態では、センサポートは異なる幅を有するアナライトセンサを受容する構成とされ、第１のアナライトセンサは第２のアナライトセンサを上回る幅を有する。
【００２４】
第１の態様の別の実施形態では、センサポートは異なる幅を有するアナライトセンサを受容する構成とされ、第１のアナライトセンサは第２のアナライトセンサを下回る幅を有する。
【００２５】
第１の態様の別の実施形態では、センサポートはこれに摺動可能に係合させるアナライトセンサ排出装置を含む。
【００２６】
第１の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点とを含む。
【００２７】
第１の態様の別の実施形態では、センサポートは、第１のアナライトセンサのセンサポートへの挿入時に第１のアナライトセンサに接触する構成とされた少なくとも４個のセンサポート接点を含む、少なくとも７個の異なるセンサポート接点と、第２のアナライトセンサのセンサポートへの挿入時に第２のアナライトセンサに接触する構成とされた少なくとも３個のセンサポート接点とを含む。
【００２８】
第１の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点とを含む少なくとも９個の異なるセンサポート接点を含む。
【００２９】
第１の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部とを含む。
【００３０】
第１の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部とを含み、少なくとも４個のセンサポート接点のうち１個がセンサポートの上部に取り付けられ、少なくとも４個のセンサポート接点のうち３個がセンサポートの底部に取り付けられる。
【００３１】
第１の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部とを含み、少なくとも３個のセンサポート接点がセンサポートの上部に取り付けられる。
【００３２】
第１の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部と、センサポート上部からセンサポート内部に延在する保護突起とを含む。
【００３３】
本開示の第２の態様では、センサポートハウジングとこのセンサポートハウジング内に配置された複数のセンサポート接点とを含むセンサポートが提供され、このセンサポートは、第１の幅を有する第１のアナライトセンサと第２の幅を有する第２のアナライトセンサとを受容する構成とされ、第１と第２の幅は異なるものとされる。
【００３４】
第２の態様の実施形態では、センサポートは、側壁とアナライトセンサの挿入期間中に側壁に対しアナライトセンサを位置決めする構成とされた付勢機構とを含む。
【００３５】
第２の態様の別の実施形態では、第１のアナライトセンサは第２のアナライトセンサを上回る幅を有する。
【００３６】
第２の態様の別の実施形態では、第１のアナライトセンサは第２のアナライトセンサを下回る幅を有する。
【００３７】
本開示の第３の態様では、アナライト計ハウジングとアナライト計ハウジングに結合したセンサポートとを含むアナライト計が提供され、このセンサポートは、センサポートハウジングとこのセンサポートハウジング内に配置された複数のセンサポート接点とを含み、またこのセンサポートは、対向電極構成を有する第１のアナライトセンサと共面電極構成を有する第２のアナライトセンサとを受容する構成とされ、さらにアナライト計ハウジングに結合した処理装置で、第１と第２のアナライトセンサからサンプル中のアナライト濃度を表わす１つ以上の信号を受け取り、それによってサンプルのアナライト濃度を特定する構成とされた処理装置を備える。
【００３８】
第３の態様の一実施形態では、第１のアナライトセンサはブドウ糖センサとされ、第２のアナライトセンサはケトンセンサとされる。
【００３９】
第３の態様の別の実施形態では、第１と第２のアナライトセンサは共にブドウ糖センサとされる。
【００４０】
第３の態様の別の実施形態では、アナライト計は通信装置を含む。
【００４１】
第３の態様の別の実施形態では、アナライト計は通信装置を含み、この通信装置はアナライト計とこのアナライト計外部の装置および／またはネットワークとの間に双方向通信を提供する構成とされる。
【００４２】
第３の態様の別の実施形態では、アナライト計は通信装置を含み、この通信装置はアナライト計とこのアナライト計外部のネットワークとの間に双方向通信を提供する構成とされる。
【００４３】
第３の態様の別の実施形態では、アナライト計は通信装置を含み、この通信装置はアナライト計とアナライト計外部のネットワークとの間に双方向通信を提供する構成とされ、ネットワークはコンピュータネットワークとされる。
【００４４】
第３の態様の別の実施形態では、アナライト計は通信装置を含み、通信装置はユニバーサルシリアルバス（ＵＳＢ）コネクタを含む。
【００４５】
第３の態様の別の実施形態では、アナライト計は通信装置を含み、この通信装置はアナライト計と外部装置および／またはネットワークとの間に無線通信を提供する構成とされる。
【００４６】
第３の態様の別の実施形態では、アナライト計は通信装置を含み、この通信装置はアナライト計と外部装置および／またはネットワークとの間に無線通信を提供する構成とされ、通信装置は無線周波（ＲＦ）プロトコルと赤外線（ＩＲ）プロトコルから選択される無線通信プロトコルを用いる。
【００４７】
第３の態様の別の実施形態では、センサポートは通信装置を含み、この通信装置はセンサポートと外部装置の間に無線通信を提供する構成とされ、外部装置は無線周波識別（ＲＦＩＤ）タグを含み、通信装置はＲＦ無線通信プロトコルを用いて無線周波識別（ＲＦＩＤ）タグと通信する。
【００４８】
第３の態様の別の実施形態では、アナライト計は通信装置を含み、この通信装置はアナライト計と外部装置および／またはネットワークとの間に無線通信を提供する構成とされ、通信装置は、ＺｉｇＢｅｅ（Ｒ）、ＷｉＦｉ（Ｒ）、Ｂｌｕｅｔｏｏｔｈ（Ｒ）、符号分割多元接続（ＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）から選択される無線通信プロトコルを用いる。
【００４９】
第３の態様の別の実施形態では、アナライト計は通信装置を含み、この通信装置はアナライト計と外部装置との間に無線通信を提供する構成とされる。
【００５０】
第３の態様の別の実施形態では、アナライト計は通信装置を含み、通信装置はアナライト計と外部装置との間に無線通信を提供する構成とされ、外部装置は薬剤投与装置または移植されあるいは一部移植されたアナライトセンサとされる。
【００５１】
第３の態様の別の実施形態では、アナライト計は通信装置を含み、この通信装置はアナライト計と外部装置との間に無線通信を提供する構成とされ、外部装置はインシュリンポンプとされる。
【００５２】
第３の態様の別の実施形態では、アナライト計は処理装置と通信可能にあるディスプレイ装置を含む。
【００５３】
第３の態様の別の実施形態では、アナライト計は処理装置と通信可能にあるディスプレイ装置を含み、このディスプレイ装置はタッチスクリーンを含む。
【００５４】
第３の態様の別の実施形態では、アナライト計は処理装置と通信可能にあるディスプレイ装置を含み、このディスプレイ装置は液晶ディスプレイ（ＬＣＤ）を含む。
【００５５】
第３の態様の別の実施形態では、センサポートは異なる幅を有するアナライトセンサを受容する構成とされる。
【００５６】
第３の態様の別の実施形態では、センサポートは異なる幅を有するアナライトセンサを受容する構成とされ、センサポートは側壁とアナライトセンサの挿入期間中に側壁に対しアナライトセンサを位置決めする構成とされた付勢機構とを含む。
【００５７】
第３の態様の別の実施形態では、センサポートは異なる幅を有するアナライトセンサを受容する構成とされ、第１のアナライトセンサは第２のアナライトセンサを上回る幅を有する。
【００５８】
第３の態様の別の実施形態では、センサポートは異なる幅を有するアナライトセンサを受容する構成とされ、第１のアナライトセンサは第２のアナライトセンサを下回る幅を有する。
【００５９】
第３の態様の別の実施形態では、センサポートはこれに摺動可能に係合させるアナライトセンサ排出装置を含む。
【００６０】
第３の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点とを含む。
【００６１】
第３の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点とを含む、少なくとも７個の異なるセンサポート接点を含む。
【００６２】
第３の態様の別の実施形態では、センサポートは、第１のアナライトセンサのセンサポートへの挿入時に第１のアナライトセンサに接触する構成とされた４個のセンサポート接点と、第２のアナライトセンサのセンサポートへの挿入時に第２のアナライトセンサに接触する構成とされた少なくとも３個のセンサポート接点とを含む少なくとも９個の異なるセンサポート接点を含む。
【００６３】
第３の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部とを含む。
【００６４】
第３の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部とを含み、少なくとも４個のセンサポート接点のうち１個がセンサポートの上部に取り付けられ、少なくとも４つのセンサポート接点のうち３個がセンサポートの底部に取り付けられる。
【００６５】
第３の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部とを含み、ここで少なくとも３個のセンサポート接点がセンサポートの頂部に取り付けられる。
【００６６】
第３の態様の別の実施形態では、センサポートは、第１のアナライトセンサのセンサポートへの挿入時に第１のアナライトセンサに接触する構成とされた少なくとも４個のセンサポート接点と、第２のアナライトセンサのセンサポートへの挿入時に第２のアナライトセンサに接触する構成とされた少なくとも３個のセンサポート接点と、頂部およびこの頂部に係合する底部とを含み、ここでセンサポートはセンサポート上部からセンサポート内部に延在する保護突起を含む。
【００６７】
本開示の第４の態様では、アナライト計が提供され、これはアナライト計ハウジングと、このアナライト計ハウジングに結合したセンサポートで、センサポートハウジングとこのセンサポートハウジング内に配置された複数のセンサポート接点とを含み、第１の幅を有する第１のアナライトセンサと第２の幅を有する第２のアナライトセンサとを受容する構成とされ、第１と第２の幅が異なるセンサポートと、アナライト計ハウジングに結合した処理装置で、第１と第２のアナライトセンサからサンプルのアナライト濃度を表わす１つ以上の信号を受け取り、それによってサンプルのアナライト濃度を特定する構成とされた処理装置とを含む。
【００６８】
第４の態様の一実施形態では、センサポートは、側壁とアナライトセンサの挿入期間中、側壁に対しアナライトセンサを位置決めする構成とされた付勢機構とを含む。
【００６９】
第４の態様の別の実施形態では、第１のアナライトセンサは第２のアナライトセンサを上回る幅を有する。
【００７０】
第４の態様の別の実施形態では、第１のアナライトセンサは第２のアナライトセンサを下回る幅を有する。
【００７１】
本開示の第５の態様では、医療装置が提供され、これは医療装置ハウジングとこの医療装置ハウジングに結合したセンサポートとを含み、センサポートは、センサポートハウジングとこのセンサポートハウジング内に配置される複数のセンサポート接点とを含み、対向電極構成を有する第１のアナライトセンサと共面電極構成を有する第２のアナライトセンサとを受容する構成とされる。
【００７２】
第５の態様の一実施形態では、医療装置は薬剤投与装置である。
【００７３】
第５の態様の別の実施形態では、薬剤投与装置はインシュリンポンプとされる。
【００７４】
第５の態様の別の実形態では、医療装置はアナライト計とされる。
【００７５】
本開示の第６の態様では、医療装置が提供され、これは医療装置ハウジングとこの医療装置ハウジングに結合したセンサポートとを含み、センサポートはセンサポートハウジングとこのセンサポートハウジング内に配置される複数のセンサポート接点とを含み、第１の幅を有する第１のアナライトセンサと第２の幅を有する第２のアナライトセンサとを受容する構成とされ、第１の幅と第２の幅は異なるものとされる。
【００７６】
第６の態様の実施形態では、センサポートは、側壁とアナライトセンサの挿入期間中、側壁に対しアナライトセンサを位置決めする構成とされた付勢機構とを含む。
【００７７】
第６の態様の別の実施形態では、第１のアナライトセンサは第２のアナライトセンサを上回る幅を有する。
【００７８】
第６の態様の別の実施形態陀では、第１のアナライトセンサは第２のアナライトセンサを下回る幅を有する。
【００７９】
上記したものを含め、本明細書に記載する２つ以上の実施形態を組み合わせ、個々の実施形態の複合特徴を含む１つ以上の追加の実施形態を生成することができる。
【００８０】
本開示は、添付図面に関連して読むときに、下記の詳細な説明から最もよく理解される。慣例に従い、図面の様々な特徴は必ずしも縮尺通りとは限らないことは強調しておく。様々な特徴の寸法は、明確さに配慮し随意拡大または縮小するものとされる。図面に含まれるのは、下記の図である。
【図面の簡単な説明】
【００８１】
【図１】本開示におけるセンサポートの一実施形態の分解図を示す。
【図２Ａ】本開示におけるセンサポートの一実施形態の他の分解図を示す。
【図２Ｂ】本開示におけるセンサポートの一実施形態の上部と底部の上面図を示す。
【図３Ａ】対向電極構成を有するアナライトセンサをその中に挿入した本開示におけるセンサポートの一実施形態の上面図を示す。
【図３Ｂ】対向電極構成を有するアナライトセンサをその中に挿入した本開示におけるセンサポートの一実施形態の側面図を示す。
【図３Ｃ】対向電極構成を有するアナライトセンサをその中に挿入した本開示におけるセンサポートの一実施形態の底面図を示す。
【図４Ａ】共面電極構成を有するアナライトセンサをその中に挿入した本開示におけるセンサポートの一実施形態の上面図を示す。
【図４Ｂ】共面電極構成を有するアナライトセンサをその中に挿入した本開示におけるセンサポートの一実施形態の側面図を示す。
【図４Ｃ】共面電極構成を有するアナライトセンサをその中に挿入した本開示におけるセンサポートの一実施形態の底面図を示す。
【図５Ａ】センサポート内にアナライトセンサを挿入した第１の位置に随意選択的なセンサ排出装置を含む本開示におけるセンサポートの一実施形態の上面斜視図を示す。
【図５Ｂ】センサポート内にアナライトセンサを挿入した第１の位置に随意選択的なセンサ排出装置を含む本開示におけるセンサポートの一実施形態の底面斜視図を示す。
【図６Ａ】第２の位置に位置してセンサポートからアナライトセンサを排出する随意選択的なセンサ排出装置を有する図５Ａと図５Ｂに示したセンサポートの上面斜視図を示す。
【図６Ｂ】第２の位置に位置してセンサポートからアナライトセンサを排出する随意選択的なセンサ排出装置を有する図５Ａと図５Ｂに示したセンサポートの底面斜視図を示す。
【図７Ａ】センサポート接点用の随意選択的な保護突起を含む本開示におけるセンサポートの一実施形態の上面図を示す。
【図７Ｂ】センサポート接点用の随意選択的な保護突起を含む本開示におけるセンサポートの一実施形態の斜視図を示す。
【図８Ａ】センサポート接点用の随意選択的な保護突起とセンサポートに挿入した損壊アナライトセンサとを含み、損壊アナライトセンサがセンサポート接点に接触してこれを破壊しないようにした本開示におけるセンサポートの一実施形態の上面図を示す。
【図８Ｂ】センサポート接点用の随意選択的な保護突起とセンサポートに挿入した損壊アナライトセンサとを含み、損壊アナライトセンサがセンサポート接点に接触してこれを破壊しないようにした本開示におけるセンサポートの一実施形態の断面図を示す。
【図８Ｃ】センサポート接点用の随意選択的な保護突起とセンサポートに挿入した損壊アナライトセンサとを含み、損壊アナライトセンサがセンサポート接点に接触してこれを破壊しないようにした本開示におけるセンサポートの一実施形態の拡大断面図を示す。
【図９Ａ】図８Ａと図８Ｂと図８Ｃに示したセンサポートの上面斜視図を示す。
【図９Ｂ】図８Ａと図８Ｂと図８Ｃに示したセンサポートの拡大詳細図を示す。
【図１０】随意選択的な封止部材を含む本開示におけるセンサポートの一実施形態を示す。
【図１１】図１０に示したセンサポートの分解図を示す。
【図１２】随意選択的な内部面取り面を含む本開示におけるセンサポートの一実施形態の断面図を示す。
【図１３】本開示におけるセンサポートを含む本開示におけるアナライト計の一実施形態を示し、センサポートを視認ことができるよう破断図で示してある。
【図１４Ａ】対向電極構造を有するアナライトセンサの上面図と底面図とを示す。
【図１４Ｂ】対向電極構造を有するアナライトセンサの上面図と底面図とを示す。
【図１４Ｃ】共面電極構造を有するアナライトセンサの上面図と底面図とを示す。
【図１４Ｄ】対向電極構造を有するアナライトセンサの上面図と底面図とを示す。
【図１４Ｅ】共面電極構造を有するアナライトセンサの上面図と底面図とを示す。
【図１５Ａ】本開示におけるセンサポートの一実施形態の上面図を示し、センサポートは異なる幅を有するアナライトセンサを受容する構成とされる。
【図１５Ｂ】図１５Ａに示したセンサポートの実施形態の内部空間を示す図であり、第１と第２の停止位置の明確な図を提供するためセンサポート接点は図示していない。
【図１６】本開示におけるアナライト計の一実施形態を含む健康管理システム、例えば糖尿病管理システム内のデータフローを示す線図であり、本図に示す如く、入力装置とディスプレイ装置とデータ記憶装置と通信装置はアナライト計のハウジング内に一体化することができる。一部実施形態では、１つ以上の入力装置とディスプレイ装置とデータ記憶装置と通信装置がアナライト計のハウジングに離脱可能に係合して一体化装置を形成することのできる個別モジュール式ハードウェアユニットとして提供される。別の実施形態では、アナライト計と通信し、かくして１つ以上の入力装置とディスプレイ装置とデータ記憶装置と通信装置が装置または構成要素とアナライト計の処理装置との間でデータを転送する構成とされた個別装置あるいは個別装置の構成要素として提供される。一部実施形態では、ディスプレイ装置と入力装置は単一の装置、例えばタッチスクリーンディスプレイとして一体化される。本図はまた様々な随意選択的な装置および／またはシステムを表わしており、そのうちの１つ以上はアナライト計、例えば薬剤投与装置および／またはシステム、携帯処理システム、コンピュータ、ネットワーク、インターネット、アナライト監視装置および／またはシステムと通信する構成とすることができる。
【図１７】本開示におけるセンサポートを含む本開示におけるアナライト計の追加実施形態の斜視図を示し、アナライト計は「摺動体」構成にて図示してあり、ここでディスプレイを含む計器ハウジングの一部を開位置または閉位置に摺動させ、入力装置を含む計器ハウジングの一部をそれぞれ露出あるいは被覆することができる。
【図１８】本開示におけるセンサポートを含む本開示におけるアナライト計の追加実施形態の斜視図を示し、アナライト計は計器ハウジング上のディスプレイ装置の周辺に位置する入力装置を有する実質ディスク形状の構成にて図示してある。
【図１９】本開示におけるセンサポートを含む本開示におけるアナライト計の追加実施形態の斜視図を示し、アナライト計はタッチスクリーンと入力装置と通信ポートとを含む構成にて図示してある。
【図２０】本開示の一実施形態におけるセンサポート（右下斜視図、右下側面図）に離脱可能に係合する構成とされた本開示の一実施形態における携帯電子処理装置（左上斜視図、右上背面図）を示す。
【図２１Ａ】本開示の一実施形態におけるセンサポート（底部）に離脱可能に係合する構成とされた本開示の一実施形態における薬剤投与装置（頂部）を示す。
【図２１Ｂ】図２１Ｂに示した薬剤投与装置の（頂部）背面図と図２１Ａに示したセンサポートの（底部）側面図を示す。
【図２２】本開示の一実施形態における物理的に一体化したセンサポートを含む本開示の一実施形態における薬剤投与装置を示す。
【図２３】本開示の一実施形態における物理的に一体化したセンサポートを含む本開示の一実施形態における使い捨て型身体装着式薬剤投与装置を示す。
【発明を実施するための形態】
【００８２】
本発明をさらに説明する前に、説明する特定の実施形態に本発明が限定されず、変形できることを理解されたい。本明細書に用いる用語は、特定の実施形態だけを説明する目的であって、限定を意図してはおらず、何故なら本発明の範囲は添付特許請求の範囲によってのみ限定されるからであることもまた、理解されたい。
【００８３】
一定範囲の値を提供する場合、関連が明らかにそれ以外を指し示さない限り、その範囲の上限と下限との間にあって下限単位の１０倍までの各介在値と、他の言明された値あるいは言明範囲内の介在値が全て本発明に包含されることを理解されたい。これらのより狭い範囲の上限と下限はこのより狭い範囲内に独立して含めることができ、言明範囲内の任意の具体的な排除の限界に従って本発明内に同様に包含される。言明範囲が一方のあるいは両方の限界を含む場合、これら被包含限界のいずれかあるいは両方を排除する範囲もまた本発明内に含まれる。
【００８４】
特段規定しない限り、本明細書に用いる、全ての技術的でかつ科学的な用語は本発明が属する技術分野の当業者が一般に理解するのと同じ意味を有する。本明細書に記載するものに類似または等価なあらゆる方法と材料は本発明の実施あるいは試験に用いることもできるが、ここでは好適な方法と材料を説明する。本明細書において言及する全ての文献は参照により本明細書に組み込まれ、その文献の引用内容に関連して方法および／または材料を開示し説明するものである。
【００８５】
本明細書と添付特許請求の範囲に使用する単数形の「一つの（ａ）」や「および（ａｎｄ）」、「その（ｔｈｅ）」は、関連がそれ以外を明確に規定しない限り、複数の指示対象を含むものである。さらに、特許請求の範囲があらゆる随意選択的な要素を排除するよう起案できることに留意されたい。かくして、この表現法の意図は、特許請求の範囲の要素の具陳に関連する「ただ」や「のみ」等の排他的要素の使用や「消極的な」限定の使用のための先行詞母体として機能させることにある。
【００８６】
本明細書で論ずる文献は、本出願の出願日に先行するその開示についてのみ提供されるものである。本明細書の記載はどれも、先行発明が故に本発明がこの種文献よりも日時が古いとする資格を欠くことの自認として解釈すべきではない。さらに、提示発行日は実際の発行日とは異なることがあり、このことは切り離して確認する必要があろう。文献の引用に関連する方法および／または材料を開示して説明する上で、本明細書にて言及する全ての文献は本明細書に参照により組み込まれる。
【００８７】
センサポート
本開示は、異なる電極構造および／または異なる寸法および／または形状を有する複数のアナライトセンサを受容する構成のセンサポートを提供するものである。これらセンサポートは、例えば、アナライト計やアナライト監視装置および／またはシステム（例えば、移植されあるいは一部移植されたアナライト監視装置と通信可能にある一体装置）や薬剤投与システムおよび／または装置を含む様々な装置にその用途を見いだすものである。センサポートは、アナライトセンサとこのアナライトセンサを受容する構成とされたセンサポートを含む装置との間に電気的な接続を提供する。
【００８８】
対抗電極構成と共面電極構成とを有するアナライトセンサを受容する構成とされたセンサポート
一部実施形態では、本開示におけるセンサポートは、少なくとも２個の種類の異なるアナライトセンサ、例えば対向電極構成を有する第１のタイプと共面電極構成を有する第２のタイプとを受容できるよう構成される。本明細書に記載するアナライトセンサの関連にて使用する用語「対向電極構成」は、アナライトセンサの電極の少なくとも１個を例えば、アナライトセンサの対向基板上に配置することで、アナライトセンサの別の電極に対向して配置することを意味する。本明細書に記載するアナライトセンサの関連にて使用する用語「共面電極構成」は、アナライトセンサの全ての電極が、例えばこの全ての電極をアナライトセンサの共通基板上に配置することで、同一の水平面内に配置することを意味する。かくして、一部実施形態では、本開示におけるセンサポートは第１の時点で第１のタイプのアナライトセンサを受容するのに用いることができ、同じセンサポートを第２の時点で第２のタイプのアナライトセンサを受容するのに用いることができる。一部実施形態では、第１と第２のタイプのアナライトセンサを用いて計測するアナライトは同一である。別の実施形態では、例えばブドウ糖やケトンの如く、第１と第２のタイプのアナライトセンサを用いて計測するアナライトは異なる。
【００８９】
一実施形態では、図１と図２Ａ、図２Ｂと図３Ａから図３Ｃと図４Ａから図４Ｃに示す如く、センサポート１０１はセンサポートハウジング１０２を含んでおり、対向電極構成を有する第１のアナライトセンサ２００と共面電極構成を有する第２のアナライトセンサ３００とを受容する構成とされる。
【００９０】
一部実施形態では、センサポートハウジング１０２は、係合してセンサポートハウジング１０２を形成する頂部１０３と底部１０４（例えば、図１参照）を有する２部分構造をなす。頂部１０３と底部１０４は、様々な異なる係合機構を介して係合させることができる。例えば、本明細書に記載する図面は、接続支柱１２４を接続支柱受容孔１２７を介して挿入して頂部１０３を底部１０４に係合させる一実施形態を表わす。頂部１０３と底部１０４により固着されるのが様々なセンサポート接点であり、それらは挿入されたアナライトセンサ（例えば、アナライトセンサ２００または３００）とセンサポート１０１を含む装置、例えばアナライト計１００（例えば、図１３参照）との間に電気的な接続を提供する。
【００９１】
当分野で知られている任意の適当な導電材あるいは導電材の組み合わせ、例えば焼き戻しリン青銅（例えば、ＵＮＳ規格Ｃ５１０００−錫５％、ＵＮＳ規格Ｃ５２１００−錫８％およびＵＮＳ規格Ｃ５２４００−錫１０％）、ベリリウム銅（例えば、ＵＮＳ規格Ｃ１７０００やＵＮＳ規格１７２００やＵＮＳ規格１７３００）、チタン、ニッケル、ステンレス鋼、白金、炭素、金等を、その材料が十分に導電性があって、挿入されたアナライトセンサの１つ以上の電極から電気信号を転送できる限り、センサポート接点として用いることができる。上記は２部分ハウジング構造に言及しているが、別の実施形態では、ハウジング１０２を例えば単一の構造装置として射出成形した単一の構造装置として形成できることに、留意されたい。
【００９２】
センサポート１０１の様々なセンサポート接点用の例示構成を、図１と図２Ａ、図２Ｂと図３Ａから図３Ｃと図４Ａから図４Ｃを参照してここで説明する。頂部１０３は、センサポート接点１０５、１０６、１０７、１０８、１０９を含む。底部１０４は、センサポート接点１１０、１１１、１１２、１１３を含む。一実施形態では、センサポート接点１０５〜１１３は、アナライト試験片をセンサポート１０１内に挿入したとき（例えば、図３Ａから図３Ｃ参照）に対向電極構成を有するアナライトセンサ上に存在する電極接点にセンサポート接点１０５、１１０、１１１、１１２が接触し、アナライトセンサをセンサポート１０１内に挿入したときに、共面電極構成（例えば、図４Ａから図４Ｃ参照）を有するアナライトセンサ上に存在する電極接点にセンサポート接点１０５、１０６、１０７が接触する構成としてセンサポート１０１内に配置してある。かくして、一部実施形態では、少なくとも１個のセンサポート接点、例えばセンサポート接点１０５が、対向電極構成を有する第１のアナライトセンサの電極接点と共面電極構成を有する第２のアナライトセンサの電極接点とに接触する構成とされる。
【００９３】
一部実施形態では、「頂部」１０３と「底部」１０４の相対的な配置を逆転し、部分１０４がセンサポート接点１０５、１０６、１０７、１０８、１０９を含み、部分１０３がセンサポート接点１１０、１１１、１１２、１１３を含む底部装着設計を生み出すようにしうることに留意されたい。
【００９４】
対向電極または共面電極構成を有する適切なアナライトセンサ、例えば試験片の実施例を、図１４Ａから図１４Ｅ示す。図１４Ａに示す如く、アナライトセンサ２００は、電極接点２０１が第１の基板２０５上に配置され、電極接点２０２、２０３、２０４が第２の基板２０６上に配置された対向電極構成を有しており、ここで第１と第２の基板はスペーサ（図示せず）により仕切られている。アナライトセンサ２００の追加の実施形態が、図１４Ｂと図１４Ｄに示してある。この種のアナライトセンサには、カルフォニア州ＡｌａｍｅｄａのＡｂｂｏｔｔ  Ｄｉａｂｅｔｅｓ  Ｃａｒｅ  Ｉｎｃ．社から入手可能なアナライト試験片、例えばＦｒｅｅＳｔｙｌｅ（Ｒ）や  ＦｒｅｅＳｔｙｌｅ  Ｌｉｔｅ（Ｒ）ブドウ糖監視試験片が含まれる。図１４Ｃと図１４Ｅに示す如く、アナライトセンサ３００は基板３０４上に配置された電極接点３０１、３０２、３０３を有する共面電極構成を有する。この種のアナライトセンサは、カルフォニア州  ＡｌａｍｅｄａのＡｂｂｏｔｔ  Ｄｉａｂｅｔｅｓ  Ｃａｒｅ  Ｉｎｃ．社から入手可能なアナライト試験片、例えばＰｒｅｃｉｓｉｏｎ  Ｅｘｔｒａ（Ｒ）やＰｒｅｃｉｓｉｏｎ  ＸｃｅｅｄＰｒｏ（Ｒ）ブドウ糖およびケトン監視試験片を含む。
【００９５】
一実施形態では、図３Ａから図３Ｃと図１４Ｂを参照するに、センサポート１０１は、アナライトセンサ２００のセンサポート１０１への挿入時に、電極接点２０１がセンサポート接点１０５に接触し、電極接点２０２がセンサポート接点１１０に接触し、電極接点２０３がセンサポート接点１１１に接触し、電極接点２０４がセンサポート接点１１２に接触する構成とされる。図４Ａから４Ｃと図１４Ｃを参照するに、センサポート１０１はまた、アナライトセンサ３００のセンサポート１０１への挿入時に、電極接点３０１がセンサポート接点１０７に接触し、電極接点３０２がセンサポート接点１０６に接触し、電極接点３０３がセンサポート接点１０５に接触する構成とされる。かくして、対向電極構成を有するアナライトセンサと共面電極構成を有するアナライトセンサの両方を受容できるセンサポートが配設される。
【００９６】
追加のセンサポート接点
一部実施形態では、本開示におけるセンサポート１０１は、さらなるセンサポート接点を含み、これがセンサポート１０１を含む装置に対し追加の機能を提供する。
【００９７】
ターンオン監視接点
本明細書において、開示されるセンサポートには、ターンオン監視接点として機能する１つ以上のセンサポート接点を含めることができる。一実施形態では、センサポート１０１は、図３Ａから図３Ｃに示す如く、ターンオン監視接点として機能する随意選択的なセンサポート接点１０８、１０９を含む。ターンオン監視接点１０８、１０９は、アナライトセンサ、例えば図１４Ｂに示すアナライトセンサ２００上に存在する対応するターンオンモニタ４００に接触する構成とされる。ターンオンモニタ４００との組み合わせることで、ターンオン監視接点１０８、１０９はセンサポート１０１を含む装置、例えばアナライト計１００の幾つかの機能を容易にする。例えば、一実施形態では、ターンオン監視接点１０８、１０９は、センサポート１０１へのアナライトセンサ２００の挿入時にアナライト計１００によるアナライトセンサ２００の検出を容易にするよう設計される。一実施形態では、この種の検出はアナライト計１００の試験に向けた起動に帰着し、すなわちターンオンモニタ４００がアナライト計上のスイッチの操作等のユーザによるさらなる行為がなされないときにアナライト計１００の「ターンオン」機能を容易にする。
【００９８】
図３Ａから図３Ｃのターンオン監視接点１０８、１０９について示した構成は、それらが図１４Ｂに示した形状および／または構成を有するターンオンモニタ４００に接触するようにしたが、この種の構成は例示に過ぎず、ターンオン監視接点の構成を変えて下記に詳しく説明する様々に異なる形状ならびに構成を有するターンオンモニタに対応させることができることは理解されたい。例えば、一実施形態では、ターンオン監視接点１０８、１０９は、図１４Ａに示す形状および／または構成を有するターンオンモニタ４００に共に接触する構成とされる。
【００９９】
アッセイ特定接点
加えてあるいは代替的に、本明細書に開示するセンサポートにアッセイ特定接点として機能する１つ以上のセンサポート接点を含めることができる。アッセイ特定接点により、アナライト計１００あるいはセンサポート１０１を含む他の装置は、アナライトセンサが特定タイプのアナライト計測アッセイ用に構成していると特定することができる。例えば、一実施形態では、センサポート１０１は図４Ａから図４Ｃに示す如く、随意選択的なセンサポート接点１１３を含み、それが単独かあるいは他のセンサポート接点の１つとの組み合わせのいずれかでアッセイ特定接点として機能する。アッセイ特定接点１１３は、特定種のアナライト計測アッセイを実行する構成のアナライトセンサ、例えば特定種のアナライト計測アッセイ、例えばブドウ糖計測アッセイあるいはケトン計測アッセイを実行する構成のアナライトセンサ３００上に存在する対応するアッセイ指示接点５００に接触する構成とされる。
【０１００】
一部実施形態では、アッセイ特定接点、例えばアッセイ特定接点１１３はセンサポート１０１の他のセンサポート接点のうち１つと協働し、特定の機能をもたらす。例えば、一実施形態では、図４Ａから図４Ｃに示す如く、アッセイ特定接点１１３は、センサポート接点１１０と共にアッセイ指示接点５００に接触して電気回路を完成し、この回路がセンサポート１０１を含む装置に対しアナライトセンサが特定のアッセイ、例えばブドウ糖計測アッセイあるいはケトン計測アッセイ用に構成していることを指示する。
【０１０１】
アッセイ特定接点１１３はまた、センサポート接点１１０と共にアッセイ指示接点５００を欠くアナライトセンサのアッセイ構成の特定を容易にすることができる。例えば、指示接点５００の存在が故の特定接点１１３とセンサポート接点１１０との間の電気回路の完成不全は、２つのアナライトセンサアッセイ構成の一方、例えばブドウ糖計測値を指示することがあるが、指示接点５００の欠落が故の電気回路の完成は第２のアナライトセンサアッセイ構成、例えばケトン計測を指示する。従って、異ならしめて構成されたアナライトセンサは、アッセイ指示接点等のアッセイ指示接点５００を含むか含まないかのいずれかにより、センサポートによる識別用に構成することができる。
【０１０２】
一部実施形態では、アッセイ特定接点は、単独であるいは他のセンサポート接点との組み合わせのいずれかでターンオン監視接点およびそれとは逆の接点として機能する。換言すれば、一部実施形態では、アッセイ特定接点は「ターンオン」機能を提供し、一部実施形態では、ターンオン監視接点は「アッセイ特定」機能をセンサポート１０１、例えばアナライト計１００を含む装置に提供することができる。
【０１０３】
上記の如く、一部実施形態では、ターンオン監視および／またはアッセイインジケータ接点の検出は電気的に達成される。例えば、ターンオン監視および／またはアッセイ指示接点は、アッセイセンサをアナライト計のセンサポート内に挿入したときに電気回路を開閉する構成とすることができる。一部実施形態では、電気回路の開閉はアナライト計を試験向けに起動する。ターンオン監視および／またはアッセイ指示接点には、ターンオン監視および／またはアッセイ指示接点の電気的な検出を容易にする導電材料を含むことができる。例えば、図１４Ａの図示した実施形態では、ターンオン監視４００はアナライトセンサ２００の外面全体に延在する導電性帯片の形をした導電材料を含む。
【０１０４】
一部実施形態では、ターンオン監視および／またはアッセイ指示接点は、それが挿入時にアナライト計内の電気回路を物理的に開閉するよう設計される。例えば、ターンオン監視および／またはアッセイ指示接点は、センサポート内へのアナライトセンサの挿入時に電気回路を物理的に開閉する窪みあるいは突起として構成しうる。
【０１０５】
他の実施形態では、アナライトセンサの検出および／またはアナライトセンサのアッセイ構成の特定は、電気回路を直接開閉するアナライトセンサを用いることなく機械的に達成される。例えば、ターンオン監視および／またはアッセイ指示接点にはセンサポート内、例えば「ロックおよびキー」型構成内の対応する物理的構造に係合する物理的構造を持たせることができる。ターンオン監視および／またはアッセイ指示接点には、センサポート内に存在する第２の物理的構造に係合するよう構成された第１の物理的構造を含めることができ、ここでアナライトセンサ上に存在する物理的構造は少なくとも１個の切り出し部および／または突起を含んでおり、ここでこの少なくとも１個の切り出し部および／または突起の形状と寸法および／または個数はセンサポート内の対応する物理的構造に係合する。特定の切り出しおよび／または突起形状の形成は、幾つかの方法により達成することができる。例えば、特定の切り出しおよび／または突起形状は所望形状への切断により形成することができる。この切断は、例えばレーザ切除法等のレーザにより行なうことができる。センサポートは、この物理的な相互作用が上記のアナライト計のターンオンおよび／またはアッセイ構成特定機能を容易にする構成とすることができる。
【０１０６】
ターンオン監視および／またはアッセイ指示接点には、これらに限定はされないが、図１４Ａ、１４Ｂに示す実施形態の如く、側縁から側縁までアナライトセンサを横断して延在する縞や、アナライトセンサ全体、ただし幅全体ではなく延在する縞や、接続していないドットや帯他の領域を含む任意の適当な構成を持たせることができる。一部実施形態では、ターンオンモニタおよび／またはアッセイ指示接点をアナライトセンサに関する較正情報をセンサポート１０１を含む装置に伝える構成とされる。ターンオン監視および／またはアッセイ構成接点用に用いることができる適当な構成は、米国特許出願公開第２００６／００９１００６号明細書、米国特許出願公開第２００８／０２６７８２３号明細書、米国特許第６，５９２，７４５号明細書、米国特許第６，１４３，１６４号明細書、米国特許第６，０７１，３９１号明細書、米国特許第６，５０３，３８１号明細書、米国特許第６，６１６，８１９号明細書、米国特許第６，７７３，６７１号明細書および米国特許第６，８９３，５４５号明細書に提供しており、これら開示のそれぞれは参照により本明細書に組み込まれる。
【０１０７】
異なる幅を有するアナライトセンサを受容する構成のセンサポート
本開示は、異なる幅、例えば異なる幅を有する複数のアナライト試験片を有する複数のアナライトセンサを受容する構成とされたセンサポートを提供する。
【０１０８】
一実施形態では、センサポート内へのアナライトセンサの挿入と適当な配置を容易にすべく、センサポートはアナライトセンサをセンサポートの側壁に対し付勢する構成の随意選択的な付随機構を含む。この種の構成は、アナライトセンサの異なっている幅に関係なく、センサポートの共通側壁に対するアナライトセンサの位置決めを可能とする。このことは、センサポートの固定センサポート接点に対するアナライトセンサの位置決めを容易にする。
【０１０９】
付勢機構は、本明細書に先に説明した対向電極構成と共面電極構成とを有するアナライトセンサを受容する構成のセンサポート内に組み込むことができる。別の選択肢として、付勢機構は対向電極構成だけあるいは共面電極構成だけを有するアナライトセンサを受容する構成のセンサポート内に組み込むことができる。
【０１１０】
付勢機構は、材料が挿入する試験片の挿入経路から偏向するほど十分に可撓性あり、一方で挿入された試験片に対し十分な力を作用させて試験片ポートの壁に対しそれを所定位置に保持する限り、任意の適当な材料で構成することができる。一部実施形態では、付勢機構はばねの形をとる。このばねは、試験片ポートのハウジングの形成に用いるのと同じ材料で形成することができ、一部実施形態ではハウジング自体の一部とすることができる。別の選択肢として、ばねは適当な金属やポリマー等から形成し、センサポートハウジング内に装着しかつ／または配置することができる。一部実施形態では、付勢機構は導電材から作成する。この種実施形態では、付勢機構をそれが電気的に接地されるよう造形することが望ましい。
【０１１１】
図１と図３Ａから図３Ｃと図４Ａから図４Ｃを参照するに、付勢機構１１４を含むセンサポート１０１が配設してある。図３Ａから図３Ｃの関連において、付勢部材１１４はアナライトセンサ２００に対し十分な力を作用させ、アナライトセンサ２００をセンサポート１０１の右側壁に対し付勢する。同様に、図４Ａから図４Ｃの関連において、付勢部材１１４はアナライトセンサ３００に対し十分な力を作用させ、アナライトセンサ３００をセンサポート１０１の右側壁に対し付勢する。センサポート１０１のセンサポート接点は、正しく付勢されたアナライトセンサ２００あるいは正しく付勢されたアナライトセンサ３００を挿入したときに、アナライトセンサが本明細書に先に説明した適当なセンサポート接点に接触するよう配置される。従って、固定されたセンサポート接点構成を有するアナライトセンサポート１０１はアナライトセンサの異なる幅に拘わらず、アナライトセンサ２００とアナライトセンサ３００の両方を受容する構成とすることができる。
【０１１２】
図には付勢部材１１４をセンサポート１０１の左手側に配置して図示してあるが、この種構成が図解目的に合わせただけであることを理解されたい。例えば、センサポート１０１の左側部側壁に対してアナライトセンサに付勢すべく、付勢部材はセンサポート１０１の右手側に配置しうる。センサポート接点は、付勢部材の異なる配置に対応すべく必要に応じて再配置することができる。センサポート１０１はまた、複数の付勢部材、例えばセンサポート１０１の右側と左側の両方に位置して挿入されるアナライトセンサをセンサポート１０１の中心位置へ付勢する付勢部材を含めうる。複数のバイアス部材を位置決めするよう、センサポート接点を必要に応じて再位置決めすることができる。
【０１１３】
別の実施形態では、図１５Ａ、図１５Ｂを参照するに、センサポート７００が配設してあり、これがこのセンサポート７００内部に第１と第２の停止位置（７０１、７０２）を含む構成のセンサポートハウジング７０３を含む。センサポートハウジング７０３は、アナライトセンサ挿入プロセス期間中に第１のアナライセンサ、例えばアナライトセンサ２００（図１４Ａ、図１４Ｂ、図１４Ｄ）の前進をこれが第１の停止位置７０１に達したときに停止させる構成とされる。センサポートハウジング７０３はさらに、第２のアナライトセンサ挿入プロセス期間中に第２のアナライトセンサ、例えばアナライトセンサ３００（図１４Ｃ、図１４Ｅ）の前進をこれが第１の停止位置７０１よりもアナライトセンサ挿入経路に沿って遠くに位置する第２の停止位置７０２に達したときに停止させる構成とされる。図１５Ｂに図示したように、このことは例えばセンサポート開口７０５から第１の停止位置まで延在する挿入領域７０４が第１の停止位置７０１から第２の停止位置７０２まで延在する挿入領域７０６よりも幅広となるようセンサポートハウジング７０３を構成することで達成することができる。挿入領域７０４、７０６の寸法とセンサポート７００内の停止位置７０１、７０２の相対的な位置が、寸法、例えばセンサポート７００が受容する構成とされたアナライトセンサの長さと幅に基づいて修正できることに、留意されたい。
【０１１４】
図１５Ａを参照するに、センサポート７００はさらに２群のセンサポート接点を含むよう構成されており、第１群は第１のアナライトセンサ、例えばアナライトセンサ２００の電極接点に電気的に接触する構成とされ、第２群は第２のアナライトセンサ、例えばアナライトセンサ３００の電極接点に電気的に接触する構成とされる。図１５Ａに示す実施形態では、第１群のセンサポート接点は対向電極構成を有するアナライトセンサと電気的に接触する構成とされ、第２群のセンサポート接点は共面電極構成を有するアナライトセンサと電気的に接触する構成とされる。しかしながら、第１群と第２群の配置は挿入対象であるアナライトセンサの相対的な幅と電極構成とに基づき逆転しうることに、留意されたい。加えて、一部実施形態では、センサポート７００は共面電極構成を有する幅の異なる２個のアナライトセンサあるいは対向電極構成を有する幅の異なる２個のアナライトセンサを受容する構成とすることができる。
【０１１５】
図１５Ａを参照するに、一実施形態では、第１群のセンサポート接点は、センサポート７００へのアナライトセンサ２００（図１４Ｄ）の挿入時に電気接点２０１がセンサポート接点７１３に接触し、電極コンタクト２０２がセンサポート接点７１４に接触し、電極コンタクト２０３がセンサポート接点７１５に接触し、電極コンタクト２０４がセンサポート接点７１６に接触する構成とされたセンサポート接点７１３、７１４、７１５、７１６を含む。再び図１５Ａを参照するに、第２群のセンサポート接点はセンサポート接点７０７、７０８、７０９を含んでいる。本実施形態では、センサポート７００は、アナライトセンサ３００（図１４Ｃ）のセンサポート７００への挿入時に、電極接点３０１がセンサポート接点７０９に接触し、電極接点３０２がセンサポート接点７０８に接触し、電極接点３０３がセンサポート接点７０７に接触する構成とされる。かくして、異なる幅を有するアナライトセンサを受容することのできるセンサポートが提供される。
【０１１６】
一実施形態では、例えば図１５Ａに示す如く、センサポート７００は随意選択的にセンサポート接点７１２、７１７を含み、それらは本明細書に先に記載した如く、ターンオン監視接点として機能する。ターンオン監視接点７１２、７１７は、アナライトセンサをセンサポート７００の挿入領域７０４内に挿入したときに、アナライトセンサ、例えば図１４Ｄに示すアナライトセンサ２００上に存在する対応するターンオンモニタ４００に接触する構成とされる。
【０１１７】
一実施形態では、例えば、図１５Ａに示す如く、センサポート７００は任意のセンサポート接点７１０および７１１を含み、それらは本明細書に先に説明した如くアッセイ特定接点として機能する。アッセイ特定接点７１０、７１１は、アナライトセンサをセンサポート７００の挿入領域７０６内に挿入したときに、アナライトセンサ、例えば図１４Ｃに示すアナライトセンサ３００上に存在する対応するアッセイ指示接点５００に接触する構成とされる。図１５Ａにおいて、挿入領域７０６内に延在するアッセイ特定接点７１０、７１１の位置はそれぞれセンサポート接点７０８、７０９の下側に配置されており、それ故視界から包み隠されている。
【０１１８】
電圧駆動充填インジケータを有するアナライトセンサを受容する構成のセンサポート
一部実施形態では、本明細書に開示するセンサポートは、アナライトセンサ、例えば電圧駆動充填インジケータを含む構成のアナライト試験片を受容する構成とされる。電圧駆動充填インジケータを含む構成のアナライトセンサには、アナライトセンサの端部、例えばアナライト計測プロセス期間中にアナライト計内に挿入される端部以外のアナライトセンサ端部にて視認可能な充填インジケータを含めることができる。一実施形態では、電圧駆動充填インジケータの包含は、十分な電圧をそれに印加したときに黒ずむかあるいは変色するフィルムを用いて実装することができる。フィルムに電気的に接触する構成とされた追加の電極を、アナライトセンサ内に含めることができる。フィルムは、アナライトセンサ上に様々に、例えばアナライトセンサの一端に配置することができる。
【０１１９】
電圧駆動充填インジケータを含むアナライトセンサを受容する構成のアナライト計は、アナライトセンサが液体（例えば、血液）を十分に満たされたときにこれを検出する構成とすることができる。このことは、例えば一対の充填インジケータ電極に接触する構成のセンサポート接点の使用を通じて達成することができる。充填インジケータ電極の追加の説明を、下記ならびに本明細書に参照により組み込む材料にて提供する。アナライト計は、このアナライトセンサが十分に液体で満たされたことを検出したときに、それが追加電極と接地電極との間に配置されたエレクトロクロミックフィルムに電圧を印加する構成とすることができる。フィルムは、アナライト計が印加する電圧がフィルムを黒ずませたり、その色の変化を引き起こすのに十分となるよう選択される。印加電圧に応答して黒ずませかつ／または変色させることのできる様々なフィルムあるいは他のエレクトロクロミック材料は、例えばポリアニリン、ビオロゲン、ポリオキソタングステン酸塩、酸化タングステンを含め、当分野では知られている。エレクトロクロミックフィルムの追加の説明は、例えば米国特許出願公開第２００７／０１５３３５５号明細書に提供されており、その開示は参照により本明細書に組み込まれる。従って、アナライトセンサ充填材の視覚的指示を提供することができる。
【０１２０】
アナライトセンサ排出装置
一部実施形態では、本明細書に開示するセンサポートはアナライトセンサ、例えばアナライト試験片をセンサポートから排出する構成の随意選択的なセンサ排出装置を含む。アナライトセンサ排出装置は、例えばセンサポートを含むアナライト計を用いて行なうアナライト計測に続き、体液、例えば血液サンプルを収容したアナライト計試験片を排出するのが望ましい場合に、有用となろう。これにより、アナライト計のユーザはアナライト試験片に触れることなく汚染アナライト試験片を処分することができる。
【０１２１】
一部実施形態では、図１と図５Ａ、図５Ｂと図６Ａ、図６Ｂに示す如く、アナライトセンサ排出装置１１５はセンサポートハウジング１０２の底部１０４に摺動可能に係合する。アナライトセンサ排出装置１１５は、アナライトセンサ、例えばアナライトセンサ２００のセンサポート１０１内への挿入時に、アナライトセンサ排出装置１１５をセンサポートに対し図５Ａと図５Ｂに示した挿入方向に後退移動させるよう構成することができる。アナライトセンサを排出すべく、ユーザはアナライトセンサ排出装置１１５をセンサポートに対し前方に、図６Ａと図６Ｂに示した挿入方向とは逆に物理的に移動させる。この動きはアナライトセンサに力を作用し、これをセンサポート１０１から排出する。別の選択肢として、アナライトセンサ排出装置は、アナライト計のセンサポート内へのアナライトセンサの挿入が例えばばね機構の係合によりアナライトセンサ排出装置を「コック」位置に配置する構成とすることができる。アナライト計には、コックされた排出装置を被コック位置から解放し、アナライトセンサをアナライト計のセンサポートから排出するようにするボタンやスイッチや他の適当な機構を含めることができる。
【０１２２】
撥液性センサポート
一実施形態では、本明細書に開示するセンサポートは随意選択的には汚染耐性センサポートおよび／または撥液性センサポートとして構成される。この種の一実施形態では、センサポートにはこのセンサポートとセンサポート外部の環境に存在する流体および／または粒子による内部汚染を制限しかつ／または阻止するよう位置する、１つ以上の封止部材を含む。もう一つの実施例形態では、センサポートにはこのセンサポートの内部領域に１つ以上の外部の汚染物質の進入を制限できかつ／または防止することのできる内部面取り面を含む。
【０１２３】
図１０、図１１、図１２を参照するに、突出部材１２６と第１の封止部材１１８と第２の封止部材１２０と第３の封止部材１１９とを含むセンサポート１０１が配設してある。第３の封止部材１１９は、突出部材１２６を区画するチャネル１２２内に配置される。一部実施形態では、センサポート１０１は例えば図１２に示す如く内部面取り面１２５を含む。挿入面１２３に対する面取り面の角度は、可変することができる。例えば、一部実施形態では、挿入面１２３に対する面取り面の角度はほぼ２５°からほぼ４５°、例えば３０°からほぼ４０°とされる。特定の一実施形態では、挿入面１２３に対する面取り面の角度はほぼ３５°である。センサポート１００内へのこのような面取り面の包含により、センサポート１０１の内部領域への１つ以上の外部汚染物質の入来を制限しかつ／または阻止することができる。
【０１２４】
汚染耐性センサポートの追加の開示ならびに実例が、２００９年８月１１日出願の「Ａｎａｌｙｔｅ  Ｓｅｎｓｏｒ  Ｐｏｒｔｓ」と題する米国特許出願第１２／５３９，２１７号明細書に提供され、その開示は参照により本明細書に組み込まれる。
【０１２５】
一部実施形態では、本明細書に記載するセンサポートは、センサポート自体の内部領域あるいはこのセンサポートを組み込むことのできる電気装置の内部領域の汚染を制限しかつ／また阻止するよう設計された追加の機構および／または装置と協働（例えば、係合または関連動作）する構成とすることができる。例えば、センサポートの開口を保護する機構や装置や方法が、米国特許出願公開第２００８／０２３４５５９号明細書や米国特許出願公開第２００８／０１１９７０９号明細書に開示されており、その各開示は参照により本明細書に組み込まれる。本開示におけるセンサポートはまた、交換可能および／または使い捨て可能に構成し、かつ／またはセンサポートを一体化する電気装置の汚染を制限しかつ／または阻止する構成とすることができる。追加の説明が、例えば２００９年６月３０日出願の「Ｓｔｒｉｐ  Ｃｏｎｎｅｃｔｏｒｓ  ｆｏｒ  Ｍｅａｓｕｒｅｍｅｎｔ  Ｄｅｖｉｃｅｓ」と題する米国特許出願第１２／４９５，６６２号明細書に提供されており、その開示は参照により本明細書に組み込まれる。
【０１２６】
流体吸い上げ（ｗｉｃｋｉｎｇ）センサポートインタフェース
一実施形態では、本明細書に記載するセンサポートは随意選択的に流体吸い上げセンサポートインタフェースとして構成される。一部実施形態では、センサポートはセンサポート内の開口近傍に位置する１つ以上の親水性および／または吸収性材料を含む構成とされ、ここではその開口はアナライトセンサ、例えばアナライト試験片を受容する構成とされる。親水性および／または吸収性の材料は、例えばセンサポート内の開口を囲繞あるいは実質囲繞して配置することができる。一部実施形態では、１つ以上の親水性および／または吸収性材料をセンサポート開口の上側および／または下側に配置する。他の実施形態では、１つ以上の親水性および／または吸収性材料をセンサポート開口の左側および／または右側に配置する。一部実施形態では、１つ以上の親水性および／または吸収性材料がセンサポート内の開口の少なくとも一部を画定する。
【０１２７】
幾つかの実施形態では、１つ以上、例えば２個の回動吸収性ガードをセンサポート開口に対し（例えば、センサポート開口の真上および／または真下に）配置し、アナライトセンサ、例えばアナライト試験片の挿入期間中に、吸収性ガードがアナライトセンサに接触しながらそれぞれ回動するようにする。回動吸収性ガードは、例えばセンサポートハウジングあるいはアナライト計ハウジング上に配置された１つ以上の軸に係合させることで、センサポートハウジングあるいはアナライト計ハウジングに係合する構成とすることができる。吸収性ガードの、例えば１つ以上の軸周りの回動動作は、ユーザがセンサポート内にアナライトセンサを挿入する際にアナライトセンサと１つ以上の吸収性ガードとの間の接触の結果としてユーザが遭遇することのある追加の抵抗を軽減することができる。一部実施形態では、一旦アナライトセンサが挿入されると、吸収性ガードがアナライトセンサとの接触箇所（複数可）で障壁を形成し、不要なすなわち過剰な流体がセンサポート開口に進入するのを阻止あるいは少なくとも抑制するようにする。１つ以上の回動吸収性ガードを、使い捨て可能および／または交換可能とすることができる。例えば、吸収性ガードは、清掃や処分および／または交換に向けそれらをセンサポートから簡単に取り外せるよう構成することができる。一実施形態では、回動吸収性ガードには実質筒状の形状を持たせるが、任意の適当な形状を有する吸収性ガードを用いることもできる。
【０１２８】
一実施形態では、流体吸い上げセンサポートインタフェースとして構成したセンサポートは毛管作用向けの大きさの１つ以上の流路および／またはチャネルを含み、これらはセンサポート内の開口に対し位置決めし、センサポート内の開口からの流体の吸い上げ除去を促すようにする。これらの１つ以上の流路および／またはチャネルには、親水性および／または吸収性材料および／またはコーティングを含めることができる。一部実施形態では、１つ以上の流路および／またはチャネルは、流体により変位させられたときに１つ以上の流路および／またはチャネルで空気を逃がすことのできる機構を含む。例えば、一実施形態では、１つ以上の流路および／またはチャネルを１つ以上の追加の流路および／またはチャネルに接続し、これらが本明細書に記載したセンサポートを組み込んだアナライト計の外部環境に対し開口を提供する。一実施形態では、１つ以上の流路および／またはチャネルは挿入プロセス期間中に印加される概ね重力方向への流体の流れを促すよう配置される。一部実施形態では、１つ以上の流路および／またはチャネルは、例えばセンサポートのハウジングあるいはセンサポートを含む構成とされたアナライト計のハウジング内に配置される貯槽内で終端させる。
【０１２９】
一部実施形態では、流体吸い上げセンサポートインタフェースは流体用に１つ以上の代替流路を提供する構成とされ、それら流路はセンサポート内の開口を介してセンサポートの内部環境に流体を取り込む筈の流路よりもエネルギー的に好都合である。
【０１３０】
一部実施形態では、本開示における流体吸い上げセンサポートインタフェースの流体吸い上げ部は別個に処分可能および／または交換可能とされる。別の実施形態では、流体吸い上げ部分はセンサポートハウジングおよび／またはアナライト計のハウジングに物理的に一体化し、アナライト計は本開示におけるセンサポートを含んでおり、流体吸い上げ部分が別個に処分可能および／または交換可能に構成されないようにする。
【０１３１】
追加の実施形態では、親水性および／または吸収性材料および／またはコーティングに流体との接触時に変色する材料を含めることができる。このことで、例えば親水性および／または吸収性材料および／またはコーティングにより余分な流体が吸い上げ動作にさらされたことの指示を提供することができる。
【０１３２】
流体吸い上げセンサポートインタフェースは本明細書に開示したセンサポートを参照して上記したが、アナライト計内の他の開口あるいは他の装置内の開口に関連して用いたときに、流体吸い上げセンサポートインタフェースの特徴が同様の効果をもたらすことは理解されたい。例えば、流体吸い上げセンサポートインタフェースの特徴は、アナライト計電池室あるいは通信ポート内への流体の入来を防止あるいは阻止するのに用いることができる。
【０１３３】
保護突起
一実施形態では、本明細書に記載したセンサポートはこのセンサポートのセンサポート接点を保護する構成とされた随意選択的な保護突起を含む。保護突起は、センサポートのハウジングの形成に用いるのと同じ材料から形成することができ、一部実施形態では、ハウジング自体の一部とすることができる。別の選択肢として、保護突起は適当な金属やポリマー等から形成することができ、センサポートハウジング内に装着しかつ／または配置することができる。
【０１３４】
図７Ａ、図７Ｂ、図８Ａ、図８Ｂ、図８Ｃ、図９Ａ、図９Ｂを参照するに、センサポート１０１が配設してあり、これが保護突起１１６を含む。一部実施形態では、保護突起１１６はセンサポート１０１のハウジング１０２の形成に用いるのと同じ材料から形成される。別の選択肢として、センサポートハウジング１０２の形成に用いるもの以外の材料から保護突起１１６を作成することができる。図７Ａに示す如く、一部実施形態では、保護突起１１６はセンサポートハウジング１０２の頂部１０３の側壁からセンサポート１０１の内部空間内に延在する。保護突起１１６はセンサポート１０５に対し位置決めし、例えば図８Ａから図８Ｃに示す如く、不適切に挿入され、かつ／または損壊したアナライトセンサからセンサポート接点１０５が保護されるようにする。不適切な挿入および／または損壊したアナライトセンサの挿入は、一部事例では、電極接点をその意図した配置から圧縮し、さもなくば変形することで、センサポート接点１０５等のセンサポート接点を損傷することがある。例えば、アナライトセンサ２００の取り扱い期間中、その上に電極接点２０１が配置される基板２０５の基端を例えば図８Ｃに示す如く屈曲させることができる。ユーザが損壊したこの種のアナライトセンサを挿入するなら、センサポート接点１０５は損壊したアナライトセンサとの接触により圧縮され、さもなくば変形させうる。保護突起１１６は、破損アナライトセンサとセンサポート接点との間のこのような接触を防止する構成とされる。
【０１３５】
照明されたセンサポート
一実施形態では、アナライト計１００および／またはセンサポート１０１は随意選択的な照明装置（図示せず）、例えば発光ダイオード（ＬＥＤ）を含み、これはアナライトセンサ挿入プロセス期間中にセンサポート１０１を照明し、ユーザがアナライトセンサをセンサポート１０１内に正確に挿入するのを支援することができる。照明されたセンサポートに関するさらなる情報とその給電方法は、米国特許出願公開第２００５／０００９１２６号明細書に見いだすことができ、この開示は参照により本明細書に組み込まれる。
【０１３６】
ラッチまたは固定機構
本開示のさらなる実施形態では、センサポート１０１は物理的なラッチあるいは固定機構を用いて構成し、アナライトセンサをセンサポート１０１内に挿入したときに、サンプルアッセイが完了するまでアナライトセンサがセンサポート１０１内の受容位置に保持されるようにすることができる。この種の物理的ラッチあるいは固定機構の実例には、単一方向に付勢された係留機構あるいは圧力印加機構を含め、センサポート１０１内のアナライトセンサの１つ以上の表面に圧力を印加することでアナライトセンサを所定場所に保持することができる。さらなる情報が、米国特許出願公開第２００８／０１１９７０９号明細書に提供され、その開示は参照により本明細書に組み込まれる。
【０１３７】
アナライトセンサ
本明細書に先に説明したように、一部実施形態では、開示されたセンサポートは、少なくとも２つの異なる種類のアナライトセンサ、例えば対向電極構成を有する第１のタイプと共面電極構成を有する第２種を受容できるよう構成される。これらのアナライトセンサ種の実施例を、ここで図面を参照してより詳細に説明する。図１４Ａ、図１４Ｂ、図１４Ｄには、対向電極構成を有するアナライトセンサ２００が示してあり、これが第１の基板２０５と第２の基板２０６と第１の基板２０５と第２の基板２０６とを仕切るスペーサ（図示せず）を含んでいる。アナライトセンサ２００はまた、作動電極と基準および／または対向電極と第１の充填インジケータ電極と第２の充填インジケータ電極とを含む。本明細書に用いる用語「基準および／または対向電極」は、基準電極や対向電極あるいは基準および対向電極の両方として機能する電極を指す。図１４Ａ、図１４Ｂ、図１４Ｄに図示した実施形態では、作動電極は作動電極とセンサポート１０１のセンサポート接点との間に電気的な接続を提供する電極接点２０１を含んでおり、基準および／または対向電極は基準および／または対向電極とセンサポート１０１のセンサポート接点との間に電気的な接続を提供する電極接点２０３を含んでおり、第１と第２の充填インジケータ電極は充填インジケータ電極とセンサポート１０１のセンサポート接点との間に電気的な接続をそれぞれ提供する電極接点２０２、２０４を含む。図１４Ａ、図１４Ｂ、図１４Ｄに示す如く、アナライトセンサ２００はセンサポート１０１に挿入する基端２０７と液体サンプルを受容する先端２０８とを含む。
【０１３８】
図１４Ｃ、図１４Ｅでは、共面電極構成を有するアナライトセンサ３００が図示してあり、これがその上に配置された作動電極と基端電極および／または対向電極と充填インジケータ電極を有する第１の基板３０４を含んでいる。作動電極は、作動電極とセンサポート１０１のセンサポート接点との間に電気的な接続を提供する電極接点３０３を含んでおり、基準および／または対向電極は基準および／または対向電極とセンサポート１０１のセンサポート接点との間に電気的な接続を提供する電極接点３０１を含んでおり、充填インジケータ電極は充填インジケータ電極とセンサポート１０１のセンサポート接点との間に電気的な接続を提供する電極接点３０２を含んでいる。図１４Ｃと図１４Ｅに示す如く、アナライトセンサ３００はセンサポート１０１内に挿入する基端３０５と液体サンプルを受け取る先端３０６とを含む。アナライトセンサ３００はまた、第１の基板３０４の一部を覆って位置する少なくとも第２の基板３０７を含み、電極接点３０１、３０２、３０３がセンサの基端に露出するようにしてある。１つ以上のスペーサ層を、アナライトセンサ３００内に含めることもできる。
【０１３９】
幾つかの実施形態では、本明細書に開示するセンサポート内に使用するのに適したアナライトセンサは概ね矩形、すなわちセンサの長さがその幅を上回る形状を有するが、他の形状も同様に可能である。一実施形態では、アナライトセンサは帯片の形をとる。
【０１４０】
本明細書に記載するセンサポートに使用するのに適したアナライトセンサには、複数の電極、例えば２個や３個あるいは４個以上の電極を含めることができる。
【０１４１】
本明細書に具体的に開示した実施形態に加え、本開示のセンサポートとアナライト計は多種多様なアナライトセンサ、例えば２００６年８月１日出願の米国特許出願第１１／４６１，７２５号明細書、米国特許出願公開第２００７／００９５６６１号明細書、米国特許出願公開第２００６／００９１００６号明細書、米国特許出願公開第２００６／００２５６６２号明細書、米国特許出願公開第２００８／０２６７８２３号明細書、米国特許出願公開第２００７／０１０８０４８号明細書、米国特許出願公開第２００８／０１０２４４１号明細書、米国特許出願公開第２００８／００６６３０５号明細書、米国特許出願公開第２００７／０１９９８１８号明細書、米国特許出願公開第２００８／０１４８８７３号明細書、米国特許出願公開第２００７／００６８８０７号明細書、米国特許第６，６１６，８１９号明細書、米国特許第６，１４３，１６４号明細書、米国特許第６，５９２，７４５号明細書に開示されたものと協働する構成とすることができ、各開示は参照により本明細書に組み込まれる。追加のアナライトセンサは、２００８年４月１４日出願の米国特許出願第１２／１０２，３７４号明細書と米国特許出願公開第２００９／００９５６２５号明細書とに開示しており、それらの開示はそれぞれ参照により本明細書に組み込まれる。
【０１４２】
アナライト計および／またはアナライト監視システムとの一体化
本開示は、本明細書に記載するセンサポートの１つを含むアナライト計を提供するものである。アナライト計は、センサポート内に挿入されたアナライトセンサから受け取った信号を処理し、この受け取った信号に基づきアナライトの濃度を特定する構成とされる。
【０１４３】
アナライト計は、掌サイズでかつ／または例えば患者のポケットあるいは財布内に収まるよう適合せさせて設計した小型の携帯装置とすることができる。アナライト計は、携帯電話（例えば、ｉＰｈｏｎｅ（Ｒ）や個人用携帯情報端末（ＰＤＡ）等の個人用電子装置に組み込むことができる。
【０１４４】
一部実施形態では、アナライト計は家庭用途向けに大型の装置とし、棚やナイトテーブルに載置するよう設計することができる。さらに別の実施形態では、アナライト計は病院や診療所にて使用する設計とすることができる。
【０１４５】
本明細書に記載するセンサポートに関連して用いることができるアナライト計および／またはアナライト監視システムおよびその特徴の追加の説明は、例えば米国特許第６，５２６，２９８号明細書や米国特許第７，０４１，４６８号明細書に見いだすことができ、それらの各開示は参照により本明細書に組み込まれる。
【０１４６】
一実施形態では、図１３に示す如く、計器ハウジング１１７とこのハウジングに結合したセンサポート１０１とを含むアナライト計１００を配設し、ここでセンサポートは第１のアナライトセンサ、例えば対向電極構成を有するアナライトセンサ２００と、第２のアナライトセンサ、例えば共面電極構成を有するアナライトセンサ３００とを受容する構成とされる。アナライト計１００はまたハウジングに結合した処理装置６００（図１３には図示せず）を含んでおり、ここで処理装置は第１と第２のアナライトセンサからサンプルのアナライト濃度を示す１つ以上の信号を受け取り、それによってサンプル内のアナライト濃度を割り出す構成とされる。処理装置６００は、図１６にシステム構成要素として図示してある。参考として、用語「処理装置」、「プロセッサ」、「制御装置」は、本明細書において互換可能に用いられる。
【０１４７】
上記に示す如く、幾つかの実施形態では、本開示におけるセンサポートにはアナライト計および／またはアナライト監視システムを一体化する。例えば、本開示におけるセンサポートには、ＦｒｅｅＳｔｙｌｅ（Ｒ）血中ブドウ糖監視計やブドウ糖やケトンあるいは他のこの種アナライトを監視可能なＰｒｅｃｉｓｉｏｎ（Ｒ）ブランドの血液監視計を一体化することができる。加えて、開示したセンサポートは複数の患者に単一の計器を用いるような病院や類似の診療所環境に使用するよう設計された計器内に用途を見いだすことができる。この種システムには、これらに限定はされないが、（カルフォニア州Ａｌａｍｅｄａ）のＡｂｂｏｔｔ  Ｄｉａｂｅｔｅｓ  Ｃａｒｅ  Ｉｎｃ．社が製造するＰｒｅｃｉｓｉｏｎ  ＰＣｘ（Ｒ）計や、ＦｒｅｅＳｔｙｌｅ  Ｃｏｎｎｅｃｔ（ＴＭ）計や  Ｐｒｅｃｉｓｉｏｎ  Ｘｃｅｅｄ  Ｐｒｏ（ＴＭ）計を含む。
【０１４８】
幾つかの実施形態では、センサポートには、移植されあるいは一部移植されたアナライトセンサを含むアナライト監視システム、例えば移植されあるいは一部移植されたブドウ糖センサ（例えば、連続式ブドウ糖センサ）を含むシステムを一体化することができる。移植されあるいは一部移植されたブドウ糖センサを含むシステムには、移植されあるいは一部移植されたブドウ糖センサからアナライトデータを受け取る構成要素を含めることができ、構成要素はアナライト結果をユーザに、例えばディスプレイにより聴覚的あるいは視覚的に、あるいはアナライト結果を表示する構成の独立型アナライト計あるいは他の携帯処理装置（例えば、携帯電話）との通信により通信する構成とすることができる。アナライト監視システム受信器には、本明細書に記載するセンサポート１０１を組み込んでブドウ糖センサ、例えばブドウ糖試験片を受容する構成の従来の血中ブドウ糖計を含めることができる。従来の計器と試験片は、例えば１点較正あるいは他の較正プロトコルを使用してシステムを較正するのに用いることができる。さらなる情報については、米国特許第６，１７５，７５２号明細書を参照されたく、その開示は参照により本明細書に組み込まれる。一実施形態では、受信器および／または計器は移植されあるいは一部移植されたアナライトセンサとＲＦＩＤを介して通信し、移植アナライトセンサの間欠的あるいは周期的な照会を提供する構成とすることができる。
【０１４９】
アナライト計に関連するセンサポートの説明は、独立型計器と加えて、移植されあるいは一部移植されたアナライトセンサを含む、アナライト監視システム（例えば、連続式アナライト監視システム）に作動可能に接続した、例えば一体化したものもまた含むことは、理解されたい。開示センサポートに関連して使用することのできる例示センサあるいは計器と連続式アナライト監視システム（時として生体内システムと呼ぶ）は、米国特許第７，０４１，４６８号明細書、米国特許第５，３５６，７８６号明細書、米国特許第６，１７５，７５２号明細書、米国特許第６，５６０，４７１号明細書、米国特許第５，２６２，０３５号明細書、米国特許第６，８８１，５５１号明細書、米国特許第６，１２１，００９号明細書、米国特許第７，１６７，８１８号明細書、米国特許第６，２７０，４５５号明細書、米国特許第６，１６１，０９５号明細書、米国特許第５，９１８，６０３号明細書、米国特許第６，１４４，８３７号明細書、米国特許第５，６０１，４３５号明細書、米国特許第５，８２２，７１５号明細書、米国特許第５，８９９，８５５号明細書、米国特許第６，０７１，３９１号明細書、米国特許第６，１２０，６７６号明細書、米国特許第６，１４３，１６４号明細書、米国特許第６，２９９，７５７号明細書、米国特許第６，３３８，７９０号明細書、米国特許第６，３７７，８９４号明細書、米国特許第６，６００，９９７号明細書、米国特許第６，７７３，６７１号明細書、米国特許第６，５１４，４６０号明細書、米国特許第６，５９２，７４５号明細書、米国特許第５，６２８，８９０号明細書、米国特許第５，８２０，５５１号明細書、米国特許第６，７３６，９５７号明細書、米国特許第４，５４５，３８２号明細書、米国特許第４，７１１，２４５号明細書、米国特許第５，５０９，４１０号明細書、米国特許第６，５４０，８９１号明細書、米国特許第６，７３０，２００号明細書、米国特許第６，７６４，５８１号明細書、米国特許第６，２９９，７５７号明細書、米国特許第６，４６１，４９６号明細書、米国特許第６，５０３，３８１号明細書、米国特許第６，５９１，１２５号明細書、米国特許第６，６１６，８１９号明細書、米国特許第６，６１８，９３４号明細書、米国特許第６，６７６，８１６号明細書、米国特許第６，７４９，７４０号明細書、米国特許第６，８９３，５４５号明細書、米国特許第６，９４２，５１８号明細書、米国特許第６，５１４，７１８号明細書、米国特許第５，２６４，０１４号明細書、米国特許第５，２６２，３０５号明細書、米国特許第５，３２０，７１５号明細書、米国特許第５，５９３，８５２号明細書、米国特許第６，７４６，５８２号明細書、米国特許第６，２８４，４７８号明細書、米国特許第７，２９９，０８２号明細書、「Ｃｏｍｐａｃｔ  Ｏｎ−Ｂｏｄｙ  Ｐｈｙｓｉｏｌｏｇｉｃａｌ  Ｍｏｎｉｔｏｒｉｎｇ  Ｄｅｖｉｃｅ  ａｎｄ  Ｍｅｔｈｏｄｓ  Ｔｈｅｒｅｏｆ」と題する米国特許出願第６１／１４９，６３９号明細書、「Ａｎａｌｙｔｅ  Ｓｅｎｓｏｒｓ  ａｎｄ  Ｍｅｔｈｏｄｓ」と題する２００６年８月１日出願の米国特許出願第１１／４６１，７２５号明細書、「Ｅｘｔｒｕｄｅｄ  Ｅｌｅｃｔｒｏｄｅ  Ｓｔｒｕｃｔｕｒｅｓ  ａｎｄ  Ｍｅｔｈｏｄｓ  ｏｆ  Ｕｓｉｎｇ  Ｓａｍｅ」と題する２００９年６月３０日出願の米国特許出願第１２／４９５，７０９号明細書、米国特許出願公開第２００４／０１８６３６５号明細書、米国特許出願公開第２００７／００９５６６１号明細書、米国特許出願公開第２００６／００９１００６号明細書、米国特許出願公開第２００６／００２５６６２号明細書、米国特許出願公開第２００８／０２６７８２３号明細書、米国特許出願公開第２００７／０１０８０４８号明細書、米国特許出願公開第２００８／０１０２４４１号明細書、米国特許出願公開第２００８／００６６３０５号明細書、米国特許出願公開第２００７／０１９９８１８号明細書、米国特許出願公開第２００８／０１４８８７３号明細書、米国特許出願公開第２００７／００６８８０７号明細書に開示されたもの等のセンサあるいは計器を含み、各開示は参照により本明細書に組み込まれる。
【０１５０】
処理装置
アナライト計１００は、処理装置、例えばハウジング１１７に結合した処理装置６００を含んでおり、ここでこの処理装置はアナライトセンサからサンプル内のアナライト濃度を示す１つ以上の信号を受け取り、それによってサンプルのアナライト濃度を特定する構成とされる。
【０１５１】
アナライトセンサからのアナライト信号の受け取りとアナライト濃度の割り出しに関する詳細は、例えば米国特許第７，０４１，４６８号明細書、米国特許第５，３５６，７８６号明細書、米国特許第６，１７５，７５２号明細書、米国特許第６，５６０，４７１号明細書、米国特許第５，２６２，０３５号明細書、米国特許第６，８８１，５５１号明細書、米国特許第６，１２１，００９号明細書、米国特許第７，１６７，８１８号明細書、米国特許第６，２７０，４５５号明細書、米国特許第６，１６１，０９５号明細書、米国特許第５，９１８，６０３号明細書、米国特許第６，１４４，８３７号明細書、米国特許第５，６０１，４３５号明細書、米国特許第５，８２２，７１５号明細書、米国特許第５，８９９，８５５号明細書、米国特許第６，０７１，３９１号明細書、米国特許第６，１２０，６７６号明細書、米国特許第６，１４３，１６４号明細書、米国特許第６，２９９，７５７号明細書、米国特許第６，３３８，７９０号明細書、米国特許第６，３７７，８９４号明細書、米国特許第６，６００，９９７号明細書、米国特許第６，７７３，６７１号明細書、米国特許第６，５１４，４６０号明細書、米国特許第６，５９２，７４５号明細書、米国特許第５，６２８，８９０号明細書、米国特許第５，８２０，５５１号明細書、米国特許第６，７３６，９５７号明細書、米国特許第４，５４５，３８２号明細書、米国特許第４，７１１，２４５号明細書、米国特許第５，５０９，４１０号明細書、米国特許第６，５４０，８９１号明細書、米国特許第６，７３０，２００号明細書、米国特許第６，７６４，５８１号明細書、米国特許第６，２９９，７５７号明細書、米国特許第６，４６１，４９６号明細書、米国特許第６，５０３，３８１号明細書、米国特許第６，５９１，１２５号明細書、米国特許第６，６１６，８１９号明細書、米国特許第６，６１８，９３４号明細書、米国特許第６，６７６，８１６号明細書、米国特許第６，７４９，７４０号明細書、米国特許第６，８９３，５４５号明細書、米国特許第６，９４２，５１８号明細書、米国特許第６，５１４，７１８号明細書、米国特許第５，２６４，０１４号明細書、米国特許第５，２６２，３０５号明細書、米国特許第５，３２０，７１５号明細書、米国特許第５，５９３，８５２号明細書、米国特許第６，７４６，５８２号明細書、米国特許第６，２８４，４７８号明細書、米国特許第７，２９９，０８２号明細書、「Ｃｏｎｔｉｎｕｏｕｓ  Ｇｌｕｃｏｓｅ  Ｍｏｎｉｔｏｒｉｎｇ  Ｓｙｓｔｅｍ  ａｎｄ  Ｍｅｔｈｏｄｓ  ｏｆ  Ｕｓｅ」と題する２００３年１２月２６日出願の米国特許出願第１０／７４５，８７８号明細書、「Ｃｏｍｐａｃｔ  Ｏｎ−Ｂｏｄｙ  Ｐｈｙｓｉｏｌｏｇｉｃａｌ  Ｍｏｎｉｔｏｒｉｎｇ  Ｄｅｖｉｃｅ  ａｎｄ  Ｍｅｔｈｏｄｓ  Ｔｈｅｒｅｏｆ」と題する米国特許出願第６１／１４９，６３９号明細書、２００６年８月１日出願の米国特許出願第１１／４６１，７２５号明細書、米国特許出願公開第２００７／００９５６６１号明細書、米国特許出願公開第２００６／００９１００６号明細書、米国特許出願公開第２００６／００２５６６２号明細書、米国特許出願公開第２００８／０２６７８２３号明細書、米国特許��願公開第２００７／０１０８０４８号明細書、米国特許出願公開第２００８／０１０２４４１号明細書、米国特許出願公開第２００８／００６６３０５号明細書、米国特許出願公開第２００７／０１９９８１８号明細書、米国特許出願公開第２００８／０１４８８７３号明細書、米国特許出願公開第２００７／００６８８０７号明細書に記載されており、各開示は参照により本明細書に組み込まれる。
【０１５２】
一部実施形態では、アナライト計１００はデータ記憶装置、例えば処理装置に作動可能に接続されたデータ記憶装置６０１（図１３には図示せず）を含んでおり、これは例えば２００６年３月３１日出願の「Ａｎａｌｙｔｅ  Ｍｏｎｉｔｏｒｉｎｇ  Ｄｅｖｉｃｅｓ  ａｎｄ  Ｍｅｔｈｏｄｓ  Ｔｈｅｒｅｆｏｒ」と題する米国特許出願第１１／３９６，１８２号明細書に記載されており、その開示は参照により本明細書に組み込まれる。データ記憶装置６０１は、図１６の処理装置６００と共にシステム構成要素として図示してある。
【０１５３】
投与量算出機能
一部実施形態では、処理装置は速効インシュリンおよび／または遅効インシュリン注射に関する一回投与量算出機能等の薬剤投与算出機能を実行する構成とされる。薬剤投与量算出機能と薬剤投与量算出機能の実行方法を含むアナライト計は、例えば２００６年３月３１日出願の「Ａｎａｌｙｔｅ  Ｍｏｎｉｔｏｒｉｎｇ  Ｄｅｖｉｃｅｓ  ａｎｄ  Ｍｅｔｈｏｄｓ  Ｔｈｅｒｅｆｏｒ」と題する米国特許出願第１１／３９６，１８２号明細書、筆頭発明者としてＭａｒｋ  Ｋ．Ｓｌｏａｎが掲載され代理人整理番号第ＡＤＣＩ−２０１号で指定される「Ｍｕｌｔｉ−Ｆｕｎｃｔｉｏｎ  Ａｎａｌｙｔｅ  Ｔｅｓｔ  Ｄｅｖｉｃｅ  ａｎｄ  Ｍｅｔｈｏｄｓ  Ｔｈｅｒｅｆｏｒ」と題する米国特許出願や、筆頭発明者としてＭａｒｋ  Ｋ．Ｓｌｏａｎが掲載され、代理人整理番号第ＴＳ−０２−２１０Ｕ１号で指定される「Ｍｕｌｔｉ−Ｆｕｎｃｔｉｏｎ  Ａｎａｌｙｔｅ  Ｔｅｓｔ  Ｄｅｖｉｃｅ  ａｎｄ  Ｍｅｔｈｏｄｓ  Ｔｈｅｒｅｆｏｒ」と題する米国特許出願に記載されており、それらの各開示は参照により本明細書に組み込まれる。
【０１５４】
一実施形態では、処理装置は、ボーラス算出機能を実行する構成とされる。例えば、処理装置はアナライトセンサから受け取った信号に基づき、ボーラス量、例えばインシュリンのボーラス量を特定する構成とすることができる。
【０１５５】
一実施形態では、処理装置は計測されたアナライト濃度に基づき薬剤投与量を特定するアルゴリズムを実行する構成とされる。
【０１５６】
アナライト計１００は、自動的に薬剤投与量算出モードに入り、例えばアナライト計１００内に保存している情報（例えば、患者のインシュリン感受性）に基づき薬剤投与量を算出しかつ／または選択し、ならびに／あるいは患者が摂取すべき炭水化物の量等の追加情報を提供するよう患者を促し、例えば炭水化物のボーラス量特定等の特定を行なう構成とすることができる。患者は、入力装置（下記により詳しく説明）を作動させ、適当な情報を提供することができる。
【０１５７】
別の実施形態では、アナライト計１００は、例えばアナライトセンサからの計測アナライト濃度の表示に従い、例えば補正ボーラスあるいは炭水化物ボーラス等の所定のあるいは事前にプログラムされた薬剤投与量を検索するかどうかを選択するよう患者を促す構成とすることができる。こうして、本開示の一実施形態では、アナライト計１００はアナライトセンサを用いたアナライト試験に続き薬剤投与量の特定が所望されるかどうかの選択をユーザあるいは患者に自動的に促す構成とすることができる。
【０１５８】
本開示の一実施例形態では、アナライト計１００は、患者が指定したパラメータに基づいて異種の薬剤投与量算出を実行するよう構成することができる。例えば、アナライト計１００はアナライトセンサのサンプルアッセイが食事事象の所定の期間内に実行されたときに炭水化物のボーラス量の特定を実行する構成とすることができる。例えば、アナライト計１００はアナライトセンサの流体サンプルアッセイが食事時間の前１時間以内に行なわれた（これはアナライト計１００内にプログラムすることができる）場合、炭水化物のボーラス量特定を自動的に選択するよう患者がプログラムすることができる。
【０１５９】
一部実施形態では、アナライト計の処理装置あるいは他の携帯電子処理装置は薬剤投与、例えば処理装置が算出した薬剤投与量の投与時間を入力するようユーザを促す構成とされる。例えば、ボーラス量の算出、例えばインシュリンのボーラス量の算出に続き、処理装置は例えばディスプレイ装置を用い、算出されたボーラスを行なった時間を入力するようユーザを自動的に促すことができる。
【０１６０】
一実施形態では、処理装置はさらに、投与時間の入力に続き、自動的にユーザを促し、次の食事開始時間を入力させる構成とすることができる。このような情報をそこで処理装置あるいは外部処理装置により用い、さらなる薬剤投与量の算出を最適化することができる。
【０１６１】
ボーラス算出器の安全確保機能
一部実施形態では、アナライト計の処理装置あるいは別の携帯電子処理装置は１つ以上のボーラス量算出器の安全確保機能を提供する構成とされる。本明細書にて説明する如く、本開示におけるアナライト計は、外部アナライト監視装置および／またはシステム、例えば連続式ブドウ糖監視（ＣＧＭ）装置および／またはシステムあるいは「ブドウ糖オンデマンド」（ＧｏＤ）監視装置および／またはシステムと通信し、アナライト計測値を受け取る構成とすることができる。
【０１６２】
アナライト計をＣＧＭ装置および／またはシステム（例えば、所定間隔でブドウ糖濃度を自動的に計測する構成とされた移植されあるいは一部移植されたアナライトセンサを含む装置および／またはシステム）と通信してアナライト計測値を受け取る構成とした場合、プロセッサはインシュリンのボーラスに対するユーザのブドウ糖反応を具体的に監視するプロセスを自動的に（あるいはユーザの入力に応答して）始動する構成とすることができる。例えば、一部実施形態では、プロセッサは、ユーザのインシュリン作用時間、ブドウ糖歴程、食事入力データ、インシュリン入力データ、運動データ、健康データ、その日の時間のうちの１つ以上に関連する生理学的モデルを用いて所定の期間に亙り予想ブドウ糖プロファイルを提供する構成とされる。このプロセスは、予想ブドウ糖が所定の低ブドウ糖安全限界に最小値を有する場合に「最小限」の容認可能なプロファイルを提供することができる。このプロセスはまた、予想ブドウ糖が所定の高ドウ糖安全限界に最大値を有する場合に「最大限」の容認可能なプロファイルを提供することができる。
【０１６３】
これらのプロファイルは、多くの方法で特定することができる。例えば、プロファイル限界に達する点まで炭水化物の摂取量を増減させることで、それらを特定することができる。別の選択肢として、食事タイミングあるいは１つ以上の他の生理的モデルのパラメータを可変することができる。
【０１６４】
プロセッサは、そこでＣＧＭ装置および／またはシステムが受け取った実時間データを用いて監視し、その時点で指示された最小限あるいは最大限のプロファイル内にそれを含むかどうか判定する。所定数のブドウ糖読み取り値（例えば、１つ以上）がプロファイル範囲外に含まれる場合、そのときはプロセッサは、ユーザに対し警報および／または警告を通知する構成とされ、ブドウ糖読み取り値が予想を下回るかあるいは上回るかを指示することができる。一部実施形態では、処理装置はそこで推奨行動指針をユーザに通知することができる。
【０１６５】
アナライト計がＧｏＤ装置および／またはシステム（例えば、移植されあるいは一部移植されたアナライトセンサを含み、ブドウ糖読み取り値の受け取りにユーザの起動を必要とする、ブドウ糖監視装置および／またはシステム）と通信し、アナライト計測値を受け取る構成としている場合、プロセッサはボーラス量の投与に対し所定時点、例えばボーラス量の投与に続く２０分や４５分にＧｏＤ装置および／またはシステムからブドウ糖計測値を入手するようユーザを促す構成とすることができる。続いて、これら計測値を所定のブドウ糖プロファイル（複数可）と比較対照することができる。所定数のブドウ糖読み取り値（例えば、１つ以上）がプロファイル範囲の外に含まれる場合、そのときはプロセッサはユーザに対し警報および／または警告を通知し、ブドウ糖読み取り値が予想を下回ったかあるいは上回ったかを指示する構成とすることができる。一部実施形態では、処理装置はそこで推奨行動指針をユーザに通知することができる。
【０１６６】
ブドウ糖オンデマンド装置および／またはシステムの追加の説明は、米国特許出願公開第２００８／０３１９２９６号明細書、米国特許出願公開第２００９／００５４７４９号明細書、米国特許出願公開第２００９／０２９４２７７号明細書、米国特許出願公開第２００８／０３１９２９５号明細書、２００９年２月２６日出願の「Ｓｅｌｆ−Ｐｏｗｅｒｅｄ  Ａｎａｌｙｔｅ  Ｓｅｎｓｏｒ」と題する米国特許出願第１２／３９３，９２１号明細書、２００９年１１月２４日出願の「ＲＦ  Ｔａｇ  ｏｎ  Ｔｅｓｔ  Ｓｔｒｉｐｓ，  Ｔｅｓｔ  Ｓｔｒｉｐ  Ｖｉａｌｓ  ａｎｄ  Ｂｏｘｅｓ」と題する米国特許出願第１２／６２５，５２４号明細書、２００９年９月３０日出願の「Ｅｌｅｃｔｒｏｍａｇｎｅｔｉｃａｌｌｙ−Ｃｏｕｐｌｅｄ  Ｏｎ−Ｂｏｄｙ  Ａｎａｌｙｔｅ  Ｓｅｎｓｏｒ  ａｎｄ  Ｓｙｓｔｅｍ」と題する米国仮特許出願公開第６１／２４７，５１９号明細書、２００９年２月２６日出願の「Ａｎａｌｙｔｅ  Ｍｅａｓｕｒｅｍｅｎｔ  Ｓｅｎｓｏｒｓ  Ａｎｄ  Ｍｅｔｈｏｄｓ  Ｆｏｒ  Ｆａｂｒｉｃａｔｉｎｇ  Ｔｈｅ  Ｓａｍｅ」と題する米国仮特許出願公開第６１／１５５，８８９号明細書、２００９年８月３１日出願の「Ａｎａｌｙｔｅ  Ｍｏｎｉｔｏｒｉｎｇ  Ｓｙｓｔｅｍ  ｗｉｔｈ  Ｅｌｅｃｔｒｏｃｈｅｍｉｃａｌ  Ｓｅｎｓｏｒ」と題する米国仮特許出願公開第６１／２３８，５８１号明細書、２００９年３月２４日出願の「Ｍｅｔｈｏｄｓ  Ｏｆ  Ｔｒｅａｔｍｅｎｔ  Ａｎｄ  Ｍｏｎｉｔｏｒｉｎｇ  Ｓｙｓｔｅｍｓ  Ｆｏｒ  Ｓａｍｅ」と題する米国仮特許出願公開第６１／１６３，００６号明細書、２００９年９月３０日出願の「Ｍｅｔｈｏｄｓ  ａｎｄ  Ｓｙｓｔｅｍｓ  ｆｏｒ  Ｃａｌｉｂｒａｔｉｎｇ  Ｏｎ−Ｄｅｍａｎｄ  Ａｎａｌｙｔｅ  Ｍｅａｓｕｒｅｍｅｎｔ  Ｄｅｖｉｃｅ」と題する米国仮特許出願公開第６１／２４７，５０８号明細書、２００９年２月２日出願の「Ｃｏｍｐａｃｔ  Ｏｎ−Ｂｏｄｙ  Ｐｈｙｓｉｏｌｏｇｉｃａｌ  Ｍｏｎｉｔｏｒｉｎｇ  Ｄｅｖｉｃｅｓ  ａｎｄ  Ｍｅｔｈｏｄｓ  Ｔｈｅｒｅｏｆ」と題する米国仮特許出願公開第６１／１４９，６３９号明細書、２００９年１２月３０日出願の「Ｕｌｔｒａ  Ｈｉｇｈ  Ｆｒｅｑｕｅｎｃｙ（ＵＨＦ）  Ｌｏｏｐ  Ａｎｔｅｎｎａ  ｆｏｒ  Ｐａｓｓｉｖｅ  Ｇｌｕｃｏｓｅ  Ｓｅｎｓｏｒ  ａｎｄ  Ｒｅａｄｅｒ」と題する米国仮特許出願公開第６１／２９１，３２６号明細書に見いだすことができ、各開示は参照により本明細書に組み込まれる。
【０１６７】
ボーラス安全確保機能は、外部アナライト監視装置および／またはシステムとは通信可能にないものの、その代りに血中ブドウ糖の自己監視（ＳＭＢＧ）用に構成することのできるアナライト計内に組み込むこともできる。例えば、この種のアナライト計にはユーザに対し警報や警告やリマインダを発行し、所定時間、例えば第一のブドウ糖読み取りと関連するボーラスに続く５分で追加のブドウ糖読み取りを実行させる構成のプロセッサを含めることができる。これにより、プロセッサは時間を隔てた２個のブドウ糖値に基づきレートファクタが割り出せるようになる。このレートファクタはそこで、新たなボーラス量の算出の実行、あるいは先のボーラス量の算出に対する調整の提供時にプロセッサにより考慮され得る。一部実施形態では、プロセッサは全部投与した第一のボーラスが過剰であったと判定し、正しい措置、例えば炭水化物の摂取を行なって過剰投与を回避すべきである。
【０１６８】
一部実施形態では、算出ボーラス量の一部（例えば、７０％）が当初のブドウ糖読み取り値に基づき投与され、あるいは投与推薦される。続いて、第２のブドウ糖読み取りに続き計測されたブドウ糖のレートを考慮して第２の算出されたボーラスに基づき、算出されたボーラスの残部分の一部または全部か、もしくは皆無にて投与もしくは投与推奨することができる。
【０１６９】
通信装置
一部実施形態では、本明細書に記載するアナライト計１００は随意選択的な通信装置６０２（図１３には図示せず）、例えばネットワークおよび／または他の装置、例えば薬剤投与装置および／または患者監視装置、例えば連続式ブドウ糖監視装置と通信する受信器および／または送信器を含む。通信装置は、アナライト計１００と外部装置やシステム等との間でデータやソフトウェア等を片方向あるいは双方向通信する構成とすることができる。一部実施形態では、通信装置はカルフォニア州ＡｌａｍｅｄａのＡｂｂｏｔｔ  Ｄｉａｂｅｔｅｓ  Ｃａｒｅ  Ｉｎｃ．社から入手可能なＣｏＰｉｌｏｔ（ＴＭ）システム等の健康管理システムと通信する構成とされる。一実施形態では、通信装置はアナライト計１００のハウジング１１７に結合し、処理装置との通信可能とされる。通信装置６０２は、図１６にシステム構成要素として図示してある。
【０１７０】
通信装置は、これらに限定はされないが、無線周波（ＲＦ）通信（例えば、無線周波数識別（ＲＦＩＤ）、Ｚｉｇｂｅｅ通信プロトコル、ＷｉＦｉ、赤外線、無線ユニバーサルシリアルバス（ＵＳＢ）、超広帯域（ＵＷＢ）、Ｂｌｕｅｔｏｏｔｈ（Ｒ）通信プロトコル、符号分割多元接続（ＣＤＭＡ）やＧｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）等のセルラー方式通信）を含む、有線あるいは無線通信用に構成することができる。一実施形態では、アナライト計１００は無線通信装置を含み、ここではこの無線通信装置は他の装置と双方向無線周波（ＲＦ）通信をしてアナライト計１００との間でデータを送受信する構成とされる。
【０１７１】
一実施形態では、アナライト計１００とコンピュータ端末（例えば、医師の診療所や病院環境）など他の外部装置、注射装置やインシュリン投与装置を含む外部医療装置、同様の相補的データ通信用に構成された他の装置との間でのデータ通信を可能にすべく、通信装置は１つ以上の通信ポート、例えばＵＳＢポートやＲＳ−２３２ポート等の物理的ポートやインタフェースあるいは他の任意の適当な電気接続ポートを含む構成とされる。
【０１７２】
一実施形態では、通信装置は、注射装置等の他の装置やアナライト監視装置やコンピュータ端末および／またはネットワークや通信可能な携帯電話や個人向け携帯情報端末や糖尿病等の健康状態の治療の管理時に患者あるいはアナライト計のユーザがそれとの通信に用いることのできる他の任意の通信装置とアナライト計１００が通信できるようにする赤外線通信やＢｌｕｅｔｏｏｔｈ（Ｒ）通信や他の任意の適当な無線通信プロトコル用に構成される。
【０１７３】
一実施形態では、通信装置は携帯電話ネットワークやショートメッセージサービス（ＳＭＳ）やインターネットに接続されたローカルエリアネットワーク（ＬＡＮ）上のパーソナルコンピュータ（ＰＣ）への無線接続あるいはＷｉＦｉホットスポットでのインターネットへのＷｉＦｉ接続を介するインターネットプロトコル（ＩＰ）を用いたデータ転送用の接続を提供する構成とされる。
【０１７４】
一実施形態では、アナライト計は通信装置を介して、例えば８０２．１１あるいはＢｌｕｅｔｏｏｔｈ（Ｒ）ＲＦプロトコルやＩｒＤＡ赤外線プロトコル等の共通規格を用いてサーバ装置と無線通信する構成とされる。サーバ装置は、スマートフォンや個人向け携帯情報端末（ＰＤＡ）やノートブック型コンピュータ等の他の携帯装置、あるいはデスクトップ型コンピュータや機器等の大型装置としうる。一部実施形態では、サーバ装置は液晶ディスプレイ（ＬＣＤ）等のディスプレイと加えてボタンやキーボードやマウスやタッチスクリーン等の入力装置もまた有する。このような構成を用いることで、ユーザはサーバ装置のユーザインタフェースと間接的に相互作用することで計器を制御することができ、サーバ装置は無線リンクを介して計器と相互作用する。
【０１７５】
一部実施形態では、通信装置はアナライト計、例えば随意選択的なデータ記憶装置内に保存されたデータを１つ以上の通信プロトコルおよび／または前述のメカニズムを用いてネットワークやサーバ装置と自動的あるいは半自動的に通信する構成とされる。
【０１７６】
一実施形態では、本開示はシステム、例えばアナライトセンサ１００がその一構成要素とされる糖尿病管理システムを提供する。この種実施形態では、例えば図１６に示すように、通信装置６０２は、薬剤投与装置および／またはシステム６０５、携帯用処理装置６０６、コンピュータ６０７、ネットワーク６０８、インターネット６０９、アナライト計装置および／またはシステム６１０（例えば、移植されあるいは一部移植されたアナライトセンサを含むシステム）のうち１つ以上と通信する構成とすることができる。
【０１７７】
入力装置
一部実施形態では、アナライト計１００は計器ハウジング１１７に結合され、処理装置と通信可能にある随意選択的な入力装置６０３を含む。入力装置は、１つ以上の入力ボタンやジョグホイールや容量検出スライダ入力やそれらの組み合わせを含む構成とすることができる。一実施形態では、ユーザあるいは患者は入力装置を操作し、アナライト計１００のボーラス量算出機能等の１つ以上の薬剤投与量算出機能に関連する計算と特定とを実行することができる。入力装置６０３は、図１６にシステム構成要素として図示してある。
【０１７８】
一実施形態では、入力装置は１つ以上の入力ボタンおよび／またはキーを含み、ここで各入力ボタンおよび／またはキーは特定のタスクに割り当てられる。別の選択肢として、あるいは加えて、入力装置には「ソフトボタン」あるいは「ソフトキー」とすることのできる１つ以上の入力ボタンおよび／またはキーを含めることができる。１つ以上の入力ボタンおよび／またはキーが「ソフトボタン」あるいは「ソフトキー」である事例では、これらのボタンおよび／またはキーを様々な機能向けに用いることができる。アナライト計１００の現行モードに基づき様々な機能を特定し、アナライト計１００の随意選択的なディスプレイ装置１２１に示すボタン機能の使用によりユーザに対し識別可能とすることができる。さらに別の入力方法は、下記により詳細に説明するタッチ感応ディスプレイ装置とすることができる。
【０１７９】
一部実施形態では、入力装置６０３はアナライト計１００をオンおよび／またはオフするよう機能する。
【０１８０】
加えて、一部実施形態では、入力装置はユーザが入力装置を操作して時刻および／または日付情報と加えてアナライト計１００の操作に関連する他の機能や設定もまた調整できるよう構成する。
【０１８１】
音声タグ付け
一実施形態では、随意選択的な入力装置はマイクロフォン（図示せず）を含む。この種のマイクロフォンは、アナライト計１００の音声タグ付け機能に関連して用いることができる。例えば、アナライト計１００はマイクロフォンから入力を受け取り、デジタル音声ファイルを、例えばＭＰ３ファイルやＷＡＶファイルにて保存するデジタル音声レコーダを含む構成とすることができる。これらのデジタル音声ファイルは、特定のアナライト計測事象と相関付け、例えば末端ユーザや健康管理プロバイダにより後程吟味できる追加情報を提供することができる。例えば、アナライト計１００のユーザは特定のアナライト計測の時間近傍（例えば、所定の期間）での彼／彼女の健康状態あるいは食事摂取行為に関する簡易メッセージの記録を選択することができる。
【０１８２】
ディスプレイ
一部実施形態では、本開示におけるアナライト計は随意選択的なディスプレイ装置、例えば図１３に示す随意選択的なディスプレイ装置１２１やアナライト計１００に随意選択的なディスプレイ装置を結合するポート（図示せず）を含む。ディスプレイ装置は処理装置と通信可能にあり、センサ信号および／または例えばアナライト濃度やアナライト濃度の変化率および／または閾値アナライト濃度の超過（例えば、低血糖症あるいは高血糖症を示す）を含むセンサ信号から特定された結果を表示する。
【０１８３】
ディスプレイ装置１２１は、ドットマトリクス型ディスプレイ、例えばドットマトリクス型ＬＣＤディスプレイとすることができる。一実施形態では、ディスプレイ装置１２１は液晶ディスプレイ（ＬＣＤ）や薄膜トランジスタ液晶ディスプレイ（ＴＦＴ−ＬＣＤ）やプラズマディスプレイや発光ダイオード（ＬＥＤ）ディスプレイや７素子ディスプレイやＥ−インク（電子ペーパー）ディスプレイあるいは上記のうち２つ以上の組み合わせを含む。ディスプレイ装置１２１は、英数字ディスプレイやグラフィックディスプレイやビデオディスプレイやオーディオディスプレイや震動出力あるいはそれらの組み合わせを提供する構成とすることができる。ディスプレイは、カラーディスプレイとすることができる。一部実施形態では、ディスプレイは背面照明ディスプレイとされる。
【０１８４】
ディスプレイ装置は、例えば患者の現在のアナライト濃度と加えて動向情報等の予測アナライト濃度にもまた関連する情報を提供する構成とすることもできる。
【０１８５】
一実施形態では、入力装置とディスプレイ装置は単一の装置に一体化することができ、例えばディスプレイ装置１２１をタッチ感応ディスプレイ、例えばタッチスクリーンディスプレイとして構成することができ、ここでユーザはユーザの指やスタイラスや他の任意の適当な用具を用いて表示領域を介して情報や命令を入力することができ、またタッチ感応ディスプレイは例えばアイコン駆動環境におけるユーザインタフェースとして構成される。
【０１８６】
一部実施形態では、随意選択的なディスプレイ装置は結果を視覚的に示すよう設計されるスクリーンを含まない。その代りに、一部実施形態では、随意選択的なディスプレイ装置は例えばヘッドフォンジャックやＢｌｕｅｔｏｏｔｈ（Ｒ）ヘッドセットを介し、一体型スピーカ経由あるいは別体型スピーカ経由でアナライト計のユーザに聴取可能に結果を通信する構成とされる。
【０１８７】
改良された読みやすさに向けたメニュー項目の拡張
一部実施形態では、ディスプレイ装置１２１は複数のメニュー項目を含むグラフィカルユーザインタフェースを含んでおり、ディスプレイ装置はメニュー項目に関するユーザ入力に対するユーザの応答速度に基づきメニュー項目の意味について説明を提供する構成とされる。メニュー項目は、様々な形態、例えばテキストやアイコンやオブジェクト、あるいはそれらの組み合わせのいずれかとしうる。
【０１８８】
一部実施形態では、グラフィカルユーザインタフェースは複数の選択可能なメニュー項目を含むメニューを含んでいる。ユーザが、例えば個々のメニュー項目をハイライト表示あるいはスクロールすることでメニューを介して誘導する際、ユーザにとって読み取れなかったり理解不能かのいずれかのメニュー項目は選択対象メニュー項目上でユーザを休止させる原因となりうる。一実施形態では、例えば入力装置上の専用の物理的ボタンあるいはその項目を実際に選択せずとも選択対象項目のさらなる説明を提示するメニュー上のソフトキーを用い、ユーザに対し選択肢を提示することができる。例えば、グラフィカルユーザインタフェースは、所定の期間が経過した後、ソフトキーは例えば「より多く」や「追加情報」や「拡張」や「拡大」や「ヘルプ」あるいはその上に表示されるそれらの変形例と共にソフトキーを表示することで、ソフトキーが選択対象メニュー項目の説明を提示する構成とすることができる。
【０１８９】
所定の期間は、固定された工場プリセット値やユーザあるいは健康管理プロバイダが設定する値、あるいはグラフィカルユーザインタフェースとの過去の相互作用からユーザの誘導速度のアッセイに基づく適応型メカニズムを介して依拠させることができる。一実施形態では、所定の期間はほぼ５秒〜ほぼ２０秒、例えばほぼ１０秒〜ほぼ１５秒とされる。
【０１９０】
明確化および／または追加情報に対する提案が、例えばソフトキーの押し込みにより選択された場合、そのときは選択対象であるメニュー項目を、「格別強調」モードで、例えば選択された項目の上に恰も拡大レンズが保持されているかの如くその項目を表示するよう表示させることができる。一部実施形態では、選択対象メニュー項目の追加の強調は例えばメニュー項目を変色させ、瞬かせ、予め定められた最大限まで大きさを増大させることで、提供することができる。
【０１９１】
別の選択肢として、あるいは「格別強調」モードでのメニュー項目の表示に加え、明確化および／またはさらなる情報の提示選択に応答してメニュー項目の内容のより詳細な説明を提供しうる。一部実施形態では、ユーザがソフトキーを二回あるいはそれ以上押すのに応答してより詳細な説明を提供することができる。一実施形態では、メニュー項目のより叙述的な説明はテキストをスクロールする形で提供される。別の選択肢として、あるいは加えて、メニュー項目の機能のより詳細な説明および／または動画を提供するポップアップウィンドウを表示することができる。
【０１９２】
別の実施形態では、所定の期間を超えてメニュー項目上で休止することが前述のソフトキーの表示に帰結する。ユーザによるソフトキーの選択は、例えばアナライト計１００内に含まれる組み込み式のスピーカ（図示せず）を用い、ユーザに対するメニュー項目の識別情報の可聴通信に帰結する。二回目のソフトキーの選択は、メニュー項目の機能の記述的な説明を含むユーザに対する可聴通信に帰結する。
【０１９３】
別の実施形態では、専用のハードウェアボタンあるいはソフトキーを用いるのではなく、グラフィカルユーザインタフェースを「格別強調」モードにてメニュー項目を自動的に表示し、および／または一旦ユーザが特定のメニュー項目に対し所定の期間に亙り休止したときにメニュー項目の機能に関する追加情報を表示する構成とすることができる。このような実施形態では、押し込んだときにディスプレイを「格別強調」モードから通常表示モードに復帰させる随意選択的なハードウェアボタンあるいはソフトキーをアナライト計１００に含めることができる。
【０１９４】
モジュール式計器
一部実施形態では、本開示におけるアナライト計はモジュール式計器として構成するか、さもなくばモジュール式計器やモジュール式計器システムの態様を含む。例えば、本開示におけるセンサポートを含むアナライト計は、このアナライト計に着脱可能に装着することのできる様々なハードウェアモジュールを受容する構成とすることができ、ここで様々なハードウェアモジュールがアナライト計に対し一旦そこに装着されると様々な追加の機能が提供可能となる。一部実施形態では、ハードウェアモジュールはアナライト計の既存の機能を変更し、かつ／またはアナライト計に追加の機能を提供する構成とされたファームウェアを含む。モジュール式アナライト計と関連するハードウェアモジュールの追加の開示は、筆頭発明者としてＪｅａｎ−Ｐｉｅｒｒｅ  Ｃｏｌｅを掲載し、代理人整理番号第ＡＤＣＩ−１８９号で指定される「Ｍｏｄｕｌａｒ  Ａｎａｌｙｔｅ  Ｍｅｔｅｒ（モジュール式アナライト計）」と題する米国特許出願に提供されており、その開示は参照により本明細書に組み込まれる。
【０１９５】
アナライトセンサを用いたオンデマンドアナライト特定用サポート
一部実施形態では、本開示におけるアナライト計はさらにアナライトセンサ、例えば移植されあるいは一部移植されたアナライトセンサあるいはこの移植されあるいは一部移植されたアナライトセンサに結合した高周波（ＲＦ）給電計測回路からアナライト濃度を示すアナライト濃度データおよび／または信号を受け取る構成とされる。一部実施形態では、アナライトセンサは自力給電式アナライトセンサとされる。本開示におけるアナライト計には、アナライトセンサから受け取った信号をアッセイする構成とされたソフトウェアを含めることができる。自力給電式アナライトセンサとそれを用いた通信方法とに関する追加情報は、２００９年２月２６日出願の「Ｓｅｌｆ−Ｐｏｗｅｒｅｄ  Ａｎａｌｙｔｅ  Ｓｅｎｓｏｒ」と題する米国特許出願第１２／３９３，９２１号明細書に提供されており、その開示は参照により本明細書に組み込まれる。
【０１９６】
歩数計を含むアナライト計
一部実施形態では、本明細書に記載するアナライト計は一体型歩数計を含むよう構成される。アナライト計は、例えば市販の歩数計装置に物理的に係合して電子的に通信する構成とすることができる。歩数計装置は、アナライト計ハウジング内に完全に配置することができる。別の選択肢として、歩数計装置はアナライト計ハウジングの一部に係合、例えばスナップフィット係合させることができる。歩数計装置は、電機的機能モニタとすることができ、あるいは全地球測位システム（ＧＰＳ）技術を用いることもできる。アナライト計が本明細書に上記したモジュール式計器である場合、歩数計機能は基部計器に係合する構成の歩数計モジュールにより提供することができる。
【０１９７】
物理的に一体化した歩数計に対する代替例として、アナライト計は例えば有線あるいは無線技術を介してアナライト計に物理的に一体化していない外部歩数計装置と通信し、そこからデータを受信する構成とすることができる。
【０１９８】
アナライト計を歩数計装置に物理的に一体化するか、さもなくば歩数計装置と通信する構成とした場合、アナライト計には歩数計装置から受信したデータの受信、記憶、アッセイ、表示および／または通信を行なう設計のソフトウェアおよび／またはファームウェアを含めることができる。一部実施形態では、この種ソフトウェアおよび／またはファームウェアは歩数計モジュールに格納し、歩数計モジュールと通信可能にあるアナライト計プロセッサにより実行する構成とすることができる。
【０１９９】
利用できるソフトウェアおよび／またはファームウェアは、アナライト計のユーザ向けの日常行動情報、例えば歩行マイル数、登った階段数等を計測しかつ／または表示するよう設計されたソフトウェアおよび／またはファームウェアを含んでいる。追加のソフトウェア機能には、行動計測値の強度（例えば、ユーザの行動速度に対応）や、ユーザあるいは健康管理専門家が設定することのできる日々のあるいは毎週のおよび／または月々の行動目標や、目標とされる行動レベルに対する現在および／または以前の行動レベルの表示や、日常行動レベルの経過記録史（例えば、動向情報を含む。）や、本明細書に記載する健康管理システムとの一体化、および／または運動データの自動記録を含めることができる。
【０２００】
選択的に起動可能な機能を有するアナライト計
アナライト計の幾つかの特徴および／または機能は、操作あるいは使用に先立つユーザのトレーニング、例えばボーラス量算出機能を必要とし、すなわちそこから恩恵を蒙ることができる。この種の特徴および／または機能については、当初、これらの特徴および／または機能を作動不能状態とされるも、選択的に起動可能な状態としてアナライト計に提供することが望ましかろう。ユーザのトレーニングが例えば健康管理専門家により一旦検証されると、この特徴および／または機能を起動することができる。換言すれば、アナライト計装置には「枠外」として作動不能とされた幾つかの特徴および／または機能を提供することができる。
【０２０１】
一部実施形態では、ユーザインタフェース、例えばアナライト計のタッチスクリーンディスプレイおよび／または入力装置が起動コードの入力機構を備え、このコードが入力時に１つ以上の作動不能とされた特徴および／または機能を作動可能すなわち「ロック解除」する。起動コードは、例えば処方箋を介して医師が提供できる。特定のアナライト計装置用のシリアル番号に対応する唯一無二の起動コードを提供することができる。別の選択肢として、複数のアナライト計装置の特徴および／または機能が起動可能な単一の起動コードを提供することができる。アナライト計装置の製造業者は、医師の処方箋を受け取って確認するサービスを提供し、アナライト計装置のユーザに起動コードを提供することができる。
【０２０２】
起動コードは、多くの方法でアナライト計に送信し入力することができる。例えば、製造業者あるいは製造業の代理者は、例えば電話や電子メールを介してアナライト計の入力装置を用いてアナライト計内にそこでコードを入力するユーザに対しコードを明示的に提供することができる。別の選択肢として、例えばアナライト計の通信装置を用い、遠く離れた場所から起動コードを装置に通信し入力することができる。これは、例えばアナライト計が無線データネットワークと通信可能にあるときに行なうことができる。
【０２０３】
一部実施形態では、起動コードの入力に続き、アナライト計は設定メニュー内の利用可能な特徴および／または機能を表示し、そこからアナライト計のユーザは特定の特徴および／または機能を作動可能とすることができる。一部実施形態では、このセットアップメニューをユーザが用いて特定の特徴および／または機能を使用不能とすることもできる。
【０２０４】
特定の特徴および／または機能の起動は、料金の支払いあるいは前払いサービスに基づき提供することもできる。例えば、アナライト計装置には作動不能とされた様々な特徴および／または機能を提供し、これら特徴および／または機能を起動コードの入力時に作動可能とすることができ、この起動コードは起動時払いあるいは前払いに基づき提供される。
【０２０５】
保護スキンまたはケースに組み込まれるアナライト計装置
一部実施形態では、本開示はアナライト計装置、例えば本明細書に記載するアナライト計を提供し、それは携帯電子処理装置、例えばＰＤＡやスマートフォン等に適合するよう設計された保護「スキン」あるいはケース内に組み込まれる。このような装置は、例えばＢｌａｃｋＢｅｒｒｙ（Ｒ）やｉＰｈｏｎｅ（Ｒ）やｉＰｏｄ（Ｒ）やｉＴｏｕｃｈ（Ｒ）装置と、加えて当分野で知られている多種多様な他の携帯電子処理の装置を含む。保護「スキン」あるいはケースを携帯電子処理装置に適合するよう設計した場合、アナライト計装置自体は携帯電子処理装置のハウジングに物理的に係合させる必要はない。その代りに、アナライト計装置は保護「スキン」またはケース内に配置し、保護「スキン」あるいはケースを携帯電子処理装置に適合させたときに、簡便な携帯一体型装置複合体が提供されるようにする。加えて、保護「スキン」あるいはケースは一体型装置複合体に対し構造的な支持を提供することができる。
【０２０６】
本明細書に用いる用語「スキン」は、可撓性材料、例えば携帯電子処理装置の少なくとも一部を被覆する構成とされる可撓性ポリマー材料を指す。一部実施形態では、スキンは携帯電子処理装置の１つ以上の外形寸法に適合する大きさと形状とされ、一方で携帯電子処理装置、例えば１つ以上の入力装置やディスプレイやスピーカやマイクロフォンやヘッドフォンジャックやカメラや通信ポート等の１つ以上の機能へのアクセスを提供する。例えば、スキンは携帯電子装置の露出面の４０％超、例えば５０％超や６０％超や７０％超や８０％超や９０％超を覆う構成とすることができる。
【０２０７】
携帯電子処理装置を参照して本明細書に使用する如く、用語スキンとは対照的な用語「ケース」の使用は携帯電子処理装置用の比較的剛性のある被覆を指す。スキンと同様、一部実施形態では、ケースは携帯電子処理装置の１つ以上の外形寸法に適合する大きさと形状とされ、一方で携帯電子処理装置、例えば１つ以上の入力装置やディスプレイやスピーカやマイクロフォンやヘッドフォンジャックやカメラや通信ポート等の１つ以上の機能へのアクセスを提供する。例えば、ケースは携帯電子装置の露出面の４０％超、例えば５０％超や６０％超や７０％超や８０％超や９０％超を覆う構成とすることができる。
【０２０８】
アナライト計装置は、１つ以上の別箇のアナライト計測装置（例えば、ブドウ糖試験片を受容する構成とされたブドウ糖計）や、移植されあるいは一部移植されたアナライトセンサを含むアナライト計測システムの一構成要素（例えば、連続式ブドウ糖計測システムの一構成要素）や、オンデマンドアナライト計測システムの一構成要素や、薬剤投与システムの一構成要素（例えば、インシュリンポンプを含むインシュリン投与システム）として構成することができる。
【０２０９】
保護スキンあるいはケース内に組み込まれるアナライト計装置は、携帯電子処理装置のプロセッサおよび／または制御装置との一方向あるいは双方向通信用に構成される。この通信は、有線あるいは無線、例えば本明細書に記載する１つ以上の無線通信プロトコルを用いることができる。
【０２１０】
特定の実施形態では、携帯電子処理装置のプロセッサおよび／または制御装置とアナライト計装置との間の通信は、通信装置および／またはアナライト計装置の通信ポートと携帯電子処理装置上に配置されたハードワイヤード通信ポートとの間の「有線」接続（例えば、ＵＳＢポートあるいはｉＰｈｏｎｅ（Ｒ）に見いだされるような固有のシリアルインタフェース）を用いて達成される。例えば、アナライト計の通信装置および／または通信ポートには雄型ＵＳＢコネクタを含めることができ、一方で携帯電子処理装置には対応する雌型ＵＳＢコネクタを含む。２個のコネクタの接続は、アナライト計装置と携帯電子処理装置との間に物理的かつ電気的な接続をもたらす。
【０２１１】
一部実施形態では、アナライト計装置を個別アナライト計測装置として構成した場合、それにはセンサポート、例えば本明細書に記載するセンサポートを含めることができる。この種実施形態では、個別アナライト計測装置には携帯電子処理装置のディスプレイ装置とは切り離したディスプレイ装置を含めることも、あるいはそうしないこともできる。個別アナライト計測装置が個別表示装置を含まない場合、個別アナライト計測装置を用いて得られるアナライト計測結果を携帯電子処理装置の表示装置上に表示することができる。
【０２１２】
一部実施形態では、移植されあるいは一部移植されたアナライトセンサ（例えば、連続的なアナライトセンサ）を含むアナライト計測システムの一構成要素としてアナライト計装置を構成した場合、そこに結合した携帯電子処理装置と組み合わせたアナライト計装置は計測システムの携帯手持ち構成要素を備える。この種実施形態では、アナライト計装置はアナライト計測システムの人体装着部分、例えば移植されあるいは一部移植されたアナライトセンサあるいは移植されあるいは一部移植されたアナライトセンサに結合したＲＦ給電計測回路との、例えばＲＦ無線通信を提供する通信装置を含むよう構成することができる。
【０２１３】
一実施形態では、アナライト計装置をオンデマンドアナライト計測システムの一構成要素として構成した場合、そこに結合した携帯電子処理システムと組み合わせたアナライト計装置は計測システムの携帯手持ち構成要素を備える。この種の実施形態では、アナライト計装置は携帯手持ち構成要素をオンデマンド携帯計測システムの人体装着部分近傍に配置するときに、オンデマンドアナライト計測システムの人体装着部分との、例えばＲＦ無線通信を提供する通信装置を含むよう構成することができる。こうして、周期的あるいは断続的なアナライト読み取り値を取得し、ユーザに通知することができる。一部実施形態では、アナライト計装置上のボタンあるいは他の入力装置をユーザが用い計測データのオンデマンド取得を始動させることができる。別の選択肢として、計測データの取得は携帯電子処理装置のユーザインタフェースを用いて始動させることができる。
【０２１４】
一部実施形態では、アナライト計装置を薬剤投与システム、例えばインシュリン投与システムの１つの構成要素として構成した場合、そこに結合した携帯電子処理装置と組み合わせたアナライト計装置は薬剤投与システムの携帯手持ち構成要素を提供する。一部実施形態では、アナライト計装置は薬剤投与装置、例えばインシュリンポンプとの、例えばＲＦ無線通信を提供する通信装置を含むよう構成することができる。
【０２１５】
一部実施形態では、アナライト計装置は例えばＵＳＢ接続を介してアナライト計装置に結合される携帯電子処理装置により給電する構成とされる。別の選択肢として、あるいは加えて、アナライト計装置には別箇の電源、例えば使い捨て型あるいは充電可能な電池を含めることができる。携帯電子処理装置に結合したアナライト計装置の給電に関するさらなる情報は、米国特許第７，０４１，４６８号明細書に提供されており、その開示は参照により本明細書に組み込まれる。
【０２１６】
アナライト計装置には、このアナライト計装置を結合したプロセッサあるいは携帯電子処理装置のコントローラ装置によりアップロードしかつ／または実行するよう設計された１つ以上のソフトウェアアプリケーションを記憶させるメモリを含めることができる。
【０２１７】
ソフトウェアおよび／またはファームウェア
本明細書に開示するアナライト計あるいは他の装置には、内部および／または外部処理装置により実行する構成のソフトウェアおよび／またはファームウェアを含めることができる。一部実施形態では、アナライト計は計器が外部処理装置、例えばコンピュータや携帯電子処理装置に接続されたときに、例えばプラグアンドプレイ規格を用いて自動的に１つ以上のプログラムが起動されるよう構成される。１つ以上のプログラムを、様々な共通ハードウェアプラットフォーム（例えば、ＰＣやＭＡＣ）とオペレーティングシステム（例えば、Ｗｉｎｄｏｗｓ（登録商標）やＭＡＣ  ＯＳやＬｉｎｕｘ（登録商標））上で実行する構成とすることができる。１つ以上のプログラムを、アナライト計内、例えば機械読み取り可能記憶媒体（例えば、フラッシュメモリや他の不揮発性メモリ）に記憶させ、１つ以上の汎用あるいは特定目的用のプログラム可能マイクロプロセッサおよび／またはマイクロコントローラにより実行することができる。別の選択肢として、１つ以上のプログラムを前述の１つ以上の着脱可能なハードウェアモジュールに記憶させることもできる。ソフトウェアおよび／またはファームウェアにより実装することのできる機能の例には、下記や本明細書のその他の箇所で説明するものを含むが、それらに限定はされない。
【０２１８】
事象経過記録の作成
様々な事象（例えば、計測値読み取り、栄養摂取情報（例えば、炭水化物摂取情報）、インシュリン投与量と回数、運動記録、食事時間記録、注記記録、投薬時間記録等）を、日付／時間タグと共に記録することができる。事象は、アナライト計により自動的（例えば、計測値の読み取り時）に記録することができる。別の選択肢として、あるいは加えて、アナライト計上の入力要素をユーザが使用して事象データおよび／または非事象データを入力することができる。
【０２１９】
一部実施形態では、炭水化物摂取データの入力は、製品バーコードを製品用の炭水化物情報にリンクするデータベースと組み合わせバーコードスキャナ技術の活用することで容易にすることができる。例えば、本明細書に記載するアナライト計１００等のアナライト計装置や別の携帯電子処理装置に一体型バーコード読み取り器を含めることができる。加えて、アナライト計あるいは携帯電子処理装置は、例えばデータ記憶装置内に製品のバーコードをその栄養成分含有量（例えば、その炭水化物含有量）にリンクさせるデータベースを含めるよう構成することができる。別の選択肢として、この種のデータベースは例えば本明細書に記載する通信装置を用いてアナライト計装置あるいは携帯電子処理装置によりアクセスできる遠隔装置および／またはシステムに格納しうる。こうして、ユーザが消費対象とする食品品目に関連するバーコードをスキャンする際、栄養成分情報（例えば、炭水化物含有量）を後刻のアッセイ用に事象経過記録および／またはデータベースに自動的に入力することができる。
【０２２０】
別の実施形態では、バーコードおよび／または対応する栄養成分情報が利用できない場合、ユーザはデジタルカメラ技術、例えばアナライト計装置あるいは別の携帯電子処理装置内に組み込まれて消費対象である食品品目のデジタル画像を捕捉するデジタルカメラを用いることができる。このようなデジタル画像はそこで、例えば画像認識技術を用い知られている栄養成分含有量を有する食品品目の画像と比較することができる。別の選択肢として、あるいは加えて、このようなデジタル画像は、例えば食料品目の炭水化物含有量のユーザによる評価を支援するよう設計されたユーザトレーニングに関連して健康管理専門家により用いることができる。
【０２２１】
一部実施形態では、アナライト計や携帯電子処理装置および／または健康管理ソフトウェアは、１つ以上のバーコード読み取りあるいは画像データに、ユーザが入力したさらなる情報、例えば続くアナライト計測値（複数可）に関連する情報をユーザが「タグ付け」しあるいはリンクさせられるよう構成することができる。
【０２２２】
視覚表現データ
収集しかつ／またはアッセイしたデータは、ユーザに対し（例えば、アナライト計および／または遠隔装置の表示装置上）に視覚的に提示することができる。例えば、事象経過記録からのデータは様々な体裁で提示しかつ／またはさらに編集し提示することができる。データは、糖尿病患者等のユーザがブドウ糖や他の関連情報を追尾するのに役立つグラフやレポートを生成するのに用いることができる。試験データは、様々な初期設定あるいは予めプログラムされたグラフに従い、あるいはユーザからのフィルタリングや選好入力に従い、多くの方法でグラフ化することができる。グラフを生成し、アナライト計および／または遠隔装置、例えばアナライト計と通信する構成とされた遠隔装置上に表示することができる。
【０２２３】
本明細書に開示したアナライト計と通信する構成の遠隔装置は、グラフおよび／またはレポートを印刷する構成とすることができる。遠隔装置はまた、アナライト計の記憶装置からデータを受信し、このようなデータを遠隔装置上に配置されたデータベースに入力する構成とすることができる。遠隔装置は、データのバックアップとアプリケーションプログラムをアナライト計に対しダウンロードし、さらに１つ以上のネットワークを介して他のコンピュータと通信し、例えばユーザや医師および／または第三者がデータを閲覧するのにも用いることができる。
【０２２４】
動向算出
事象記録からのデータは、動向算出の実行に用いることもできる。例えば、本開示におけるアナライト計は所定期間に亙るアナライトレベルのグラフを表示可能とすることができる。有用そうな他のグラフの例には、経時的なアナライトレベルの変化率または変化率加速度（すなわち、動向データ）のグラフを含む。動向データは、例えばボーラス算出および／または警報時に他のアプリケーションにより用いることができる。
【０２２５】
動向データは、アナライト計上のディスプレイ装置を介して提示することもできる。ディスプレイ装置には、記号、例えばしかるべき条件下で起動される（例えば、高血糖症等の状態がセンサからの信号により指示されたときにディスプレイ上で特定の記号を視認可能となる）方向を示す矢印や他のインジケータを含めることができる。低血糖症や切迫した高血糖症や切迫した低血糖症等の場合は、他のインジケータを起動することができる。
【０２２６】
アナライト計による経過記録や動向の使用に関するさらなる情報は、米国特許第７，０４１，４６８号明細書や第６，１７５，７５２号明細書に見いだすことができ、それらの開示は参照により本明細書に組み込まれる。
【０２２７】
警報、警告および／またはリマインダ
アナライト計により警報を起動し、例えばディスプレイ装置によりユーザに伝えることができる。アナライトセンサが例えばアナライトセンサの計測範囲を超える値を指示した場合に、警報を起動することができる。警報システムはまた、あるいは代替的には、アナライトレベル増減の変化率あるいは変化率加速度が閾値レートあるいは加速度に達した、または超過したときに起動し、例えば高血糖状態あるいは低血糖状態が起きそうであることを示すことができる。
【０２２８】
警報システムは、単一のデータ点が特定の閾値に合致あるいは超過したときに起動する構成とすることができる。別の選択肢として、警報は所定の時間量に跨がる所定数のデータ点が閾値に合致するか超過したときにだけ起動させることができる。もう一つの別の選択肢として、警報は所定の時間量に跨がるデータ点が閾値に合致または超過する平均値を有するときにだけ起動することができる。
【０２２９】
警報システムには、１つ以上の個別警報を含めることができる。各警報を個別に起動させ、アナライトの１つ以上の状態を指示することができる。警報は、例えば聴覚的あるいは視覚的とすることができる。他の感覚刺激警報システムを、起動時に加熱したり、冷却したり、震動させたり、穏やかな電気ショックを生成する警報システムを含め使用することができる。
【０２３０】
治療リマインダの動的スケジュール作成
本開示は、１つ以上のアクティブスケジュール作成アルゴリズムを実行する構成のソフトウェアおよび／またはファームウェアを提供する。アクティブスケジュール作成アルゴリズムは、（例えば、このような情報をアナライト計１００のディスプレイ１２１上に表示することで）アナライト計のユーザに、続く投薬治療に関する推奨時間および／または日付を提供することができ、推奨時間および／または日付は推奨治療シーケンスおよび／またはプロファイルとは対照的に先の投薬治療の遡及的アッセイに基づき決定される。本明細書に用いる用語「治療」は、アナライト計測と加えて薬剤の投与もまた含む。
【０２３１】
治療リマインダは、医師や臨床専門医あるいは看護士等の有資格健康管理プロバイダが特定して構成することができる。アナライト計１００はそこで、アナライト計１００とのインタフェースをとるデータ管理システムを介してアナライト計１００内に組み込まれた随意選択的な入力装置、および／またはアナライト計１００と通信する構成の別の携帯装置を介して健康管理プロバイダにより直接適当なスケジュール作成アルゴリズムを用いて構成することができる。こうして、健康管理プロバイダは推奨治療を電子的に更新し、末端ユーザに対し推奨治療を通信することができる。
【０２３２】
一実施形態では、適当なスケジュール作成アルゴリズムは、ユーザにより作成して未完の予定アナライト計測値と比較対照したアナライト計測値、例えば血中ブドウ糖計測値の履歴アッセイに基づき、ユーザに対しリマインダを提供する。スケジュール作成アルゴリズムは、日中にリマインダを更新し、スケジューリングプロファイルに合致する次の予定時刻がユーザに提示されるようにする。動的スケジュール作成は、ユーザがスケジュールに合致する全ての計測を完了するまで複数の日にちに亙り継続させることができる。推奨スケジュールに従って治療を終えると、スケジュール作成アルゴリズムをリセットして再開させる構成とすることができ、あるいは代替的には異なるスケジュール作成アルゴリズムを起動することができる。
【０２３３】
スケジュール作成アルゴリズムは、予定治療投薬期間中の任意の時点でユーザに対しフィードバックを提供する構成とすることができる。例えば、スケジュール作成アルゴリズムは、予定がどの程度が完了したか、および／またはどの程度の記録計測回数が推奨計測時間プロファイルに合致しないかの指示をユーザに提供する構成とすることができる。
【０２３４】
本開示における動的スケジュール作成手順の非限定的な実例は、下記の通りである。（Ａ）計測プロファイルは、昼食前後の、30分間隔で昼食前１時間（午前１１時００分）から始まる７つのアナライト読み取り値の記録を含むよう規定する。推奨時間は、午前１１時００分、午前１１時３０分、午後１２時００分、午後１２時３０分、午後１時００分、午後１時３０分午後２時００分である。（Ｂ）ユーザの初回のアナライト計測が午後１２時００分である場合、アルゴリズムは次の計測が午後１２時３０分に行なわれるよう推奨する筈である。（Ｃ）ユーザが午後１２時３０分にアナライト計測を行なわない場合、アルゴリズムは午後１時００分等々を示唆する筈である。（Ｄ）ユーザがその日の遅く、例えば午後８時００分にアナライト計測を行なわない場合、この計測は計測プロファイルの完了を前進させるものとはみなされない。（Ｅ）ユーザが二日目にアナライト計測を午後１２時００分に行なった場合、この計測は計測プロファイルの完成を前進させるものとはみなされず、何故ならそれは前日に既に完了しているからである。（Ｆ）ユーザがそこで二日目に午後１時００分にサンプリングした場合、この計測は計測プロファイルの完成を前進させるとみなされる。上記に基づき、アナライト計は例えば２９％（２／７の）治療リマインダが完了したことや４つの読み取り値のうち２つが予定されたリマインダに合致しないとの要約レポートを表示する筈である。（Ｇ）加えて、アナライト計は懸案の計測時間、例えば午前１１時００分や午前１１時３０分や午後１２時３０分や午後１時３０分や午後２時００分を報告する筈である。
【０２３５】
薬剤投与システムの制御
アナライト計１００は、例えば計測読み取り値に基づく薬剤投与システムを制御する構成とすることができる。アナライト計１００は、計測読み取り値および／または連続計測読み取り値に応答し、（例えば、移植されあるいは一部移植されたセンサを用い）アナライトの高低のレベルを相殺するよう薬剤を提供（あるいは遠隔装置に通信して提供）することができる。一実施形態では、薬剤投与システムはインシュリンポンプを含む。例えば、図１６を参照されたい。
【０２３６】
アプリケーションプログラミングインタフェースの実装
アナライト計１００は、アプリケーションプログラミングインタフェース（ＡＰＩ）を実装して他の装置および／またはソフトウェア、例えば薬剤投与ポンプとの相互作用を可能にする構成とすることができる。
【０２３７】
投与量算出
処理装置は、上記した如くアナライトセンサから受け取った１つ以上の信号に基づき投与量、例えばインシュリンボーラス量を特定する構成とすることができる。従って、一部実施形態では、アナライト計は処理装置により実行して１つ以上の投与量特定アルゴリズムを実行することができるソフトウェアプログラムを含む。一部実施形態では、例えば計器ハウジングに結合された随意選択的な入力装置を用い、１つ以上の投与量特定アルゴリズムがアナライト計のユーザにより修正可能とされる。別の選択肢として、あるいは加えて、アナライト計と通信可能にあるコンピュータあるいは他の適当な装置を介し、１つ以上の投与量特定アルゴリズムを修正することができる。一部実施形態では、本開示におけるアナライト計には、アナライト計を末端ユーザに提供する前に設定される予設定投与量特定アルゴリズムを含むソフトウェアを配設する。このような予設定投与量特定アルゴリズムは、末端ユーザや健康管理プロバイダによりプロバイダ、例えばアナライト計の製造業者などの供給業者に提供される情報に基づき構成することができる。
【０２３８】
スマート健康ポート
一部実施形態では、本開示におけるセンサポート１０１はアナライト計１００に組み込まれてはおらず、その代りに自己充足的な装置として構成される。このような実施形態では、センサポート１０１は、このセンサポート１０１（例えば、図２０に示す如く携帯式電子処理装置８００）から受信した情報に基づき、アナライト計測値を処理しかつ／または表示する構成とされた外部電子装置と通信する構成とすることができる。例えば、外部電子装置は、携帯電話やｉＰｏｄ（ＴＭ）やコンピュータ、あるいはアッセイ物計測値を処理しかつ／または表示すことのできる他の任意の適当な電子装置とすることができる。
【０２３９】
センサポート１０１と外部電子装置の間の通信は、無線（例えば、Ｂｌｕｅｔｏｏｔｈ（Ｒ）または本明細書において、記載した他の任意の適当な無線通信方式）、あるいは有線（例えば、ＵＳＢ）技術を介するものとすることができる。一部実施形態では、センサポート１０１は本明細書において先に説明した通信装置を含むよう構成される。
【０２４０】
一部実施形態では、センサポート１０１は携帯電子処理装置８００に着脱可能に接続する構成とすることができる（図２０参照）。換言すれば、センサポート１０１は携帯電子処理装置８００を着脱可能に係合させる構成とすることができる。携帯電子処理装置８００は、随意選択的なディスプレイ装置８１０と随意選択的な入力装置８２０と共に図示してある。一部実施形態では、センサポート１０１は携帯電子処理装置８００に着脱可能に接続する構成とすることができる。例えば、センサポート１０１にはセンサポートドック８３０内に配置された凹部８４０に嵌合し、センサポート１０１を携帯電子処理装置８００に着脱可能に接続する構成とされた随意選択的な突起１２８を含めることができる。センサポート１０１は、携帯電子処理装置８００への接続時に、センサポート１０１が携帯電子処理装置８００と通信できるよう構成することができる。このような通信は、無線あるいは有線とすることができ、本明細書にて説明する１つ以上の通信方式を用いることができる。
【０２４１】
センサポート１０１は、アナライト計測値をセンサポート１０１のユーザに表示するよう本明細書に先に説明したディスプレイを含めたり、あるいは含めなかったりできる。
【０２４２】
一部実施形態では、外部電子装置は、サーバおよび／またはネットワークからダウンロードされるソフトウェアを用い、センサポート１０１に挿入したアナライトセンサから受け取る信号をアッセイしかつ／または解明する構成とされる。例えば、外部電子装置は、ウェブページおよび／またはドメインにインターネット接続を介して接続し、アナライトセンサから受け取る信号をアッセイしかつ／または解明する構成とされたソフトウェアアプリケーションをダウンロードする構成とすることができる。インターネット接続を用い、外部電子装置上に搭載した既存のソフトウェアに最新版をダウンロードすることもできる。
【０２４３】
追加機能装置
様々なアナライト計が当分野では知られており、その多くは本明細書に記載するアナライト計に即組み込むことのできる追加部品と機能とを含んでいる。この種の構成要素と機能の開示は、例えば米国特許出願公開第２００８／０１１９７０２号明細書や米国特許出願公開第２００８／０１１４２８０号明細書や米国特許出願公開第２００８／０１１９７１０号明細書に見いだすことができ、各開示は参照により本明細書に組み込まれる。
【０２４４】
アナライト計用電源
アナライト計１００は、計器ハウジング１１７に結合した内部電源装置（図示せず）を含むよう構成することができる。別の実施形態では、アナライト計は内部電源装置を含まず、その代りにアナライト計に結合した装着モジュールにより給電し、ここでは装着モジュールが電源装置を含む。一実施形態では、アナライト計は内部電源装置を含んでおらず、装着モジュールにより作動可能に給電されるが、データ計測値やユーザ設定や日付／時間設定等を保存する小さめのバックアップ電源装置をまさに含んでいる。電源装置には、例えばボタン電池や単四電池を含めることができる。
【０２４５】
アナライト計の使用方法
本明細書に記載するアナライト計は、患者からの流体サンプル中のアナライトの濃度を特定する方法に用途を見いだすものである。通常、これらの方法には、アナライトセンサのアナライト計１００への挿入、アナライトセンサを用いた流体サンプル、例えば血液サンプルへの接触、作用電極におけるセンサ信号の生成、生成されたセンサ信号を用いたアナライトの濃度特定を含む。センサ信号の生成に用いることができる具体的な電気化学反応例が、米国特許第６，５９２，７４５号明細書に詳述されており、同開示は参照により本明細書に組み込まれる。
【０２４６】
一実施形態では、アナライトセンサは本明細書に記載するアナライトセンサ２００あるいはアナライトセンサ３００とされる。しかしながら、本明細書において、具体的に記載したもの以外のアナライトセンサを本明細書において開示したアナライト計１００と協働させるよう構成できることは想到される。さらにまた、本明細書に記載するアナライト計は様々なアナライトセンサと互換性を持つよう構成することができる。
【０２４７】
一実施形態では、特定ステップは、アナライトセンサを用いた電流計測や電量計測や電位差計測および／または矩形波電圧計測を含む電圧計測によるアナライト濃度の特定を含む。
【０２４８】
一実施形態では、方法は薬剤投与量の特定ステップを含む。例えば、アナライトがブドウ糖である場合、本方法にはサンプル内のブドウ糖濃度に基づき、処理装置がインシュリン投与量、例えばボーラスインシュリン投与量を特定するアルゴリズムを実行する特定ステップを含めることができる。
【０２４９】
別の実施形態では、本方法には、本方法に従い特定された薬剤投与量、例えばインシュリン投与量を薬剤投与装置、例えば針やシリンジやポンプやカテーテルや吸入器や経皮パッチあるいはそれらの組み合わせを介して患者に投与する投薬ステップを含む。
【０２５０】
別の実施形態では、投薬ステップには、アナライト計から所定距離に配置されアナライト計と通信可能にある薬剤投与装置を介し、患者に対し本方法に従い特定された所定の薬剤投与量、例えばインシュリン投与量の投与を含む。
【０２５１】
上記方法により決定される薬剤用量、例えばボーラス量は、アナライト計１００の随意選択的なディスプレイ装置１２１を介してユーザに表示することができる。
【０２５２】
薬剤投与装置および／またはシステムとの統合
一部実施形態では、本明細書に開示するセンサポートおよび／またはアナライト計は、薬剤投与装置および／またはシステム、例えばインシュリンポンプやそのコントローラモジュール等のインシュリンポンプモジュール内に含めることができる。一部実施形態では、センサポートおよび／または計器は薬剤投与装置内に物理的に組み込まれる（例えば、物理的に組み込んだセンサポートについては図２２、図２３参照）。他の実施態様では、センサポートおよび／または計器は薬剤投与装置に着脱可能に接続される（例えば、着脱可能なセンサポートについては図２１Ａ、図２１Ｂ参照）ように構成される。さらに別の実施形態では、センサポートやアナライト計あるいは本明細書に記載するセンサポートを含む他の装置を、遠隔薬剤投与装置あるいは薬剤投与システムの他の構成要素と通信する構成（例えば、図１６参照）とすることができる。
【０２５３】
一部実施形態では、本開示におけるセンサポート１０１は、薬剤投与装置９００、例えばインシュリンポンプ（図２１Ａと図２１Ｂ参照）と通信する構成とされる。図２１Ａと図２１Ｂを参照するに、センサポート１０１は薬剤投与装置９００に着脱可能に接続する構成とすることができる。換言すれば、センサポート１０１は薬剤投与装置９００を着脱可能に係合させる構成とすることができる。薬剤投与装置９００は、随意選択的なディスプレイ装置９１０と随意選択的な入力装置９２０と共に図示してある。薬剤投与装置９００はまた、注入針９４０を含む人体装着ポンプ要素９３０に接続して図示してある。センサポート１０１には随意選択的な突起１２８を含めることができ、これをセンサポートドック９３０内に配置された凹部９５０に嵌合させ、センサポート１０１を薬剤投与装置９００に着脱可能に接続する構成とする。センサポート１０１は、薬剤投与装置９００に接続したときに、センサポート１０１が薬剤投与装置９００と通信できるよう構成することができる。このような通信は無線でも有線でもよく、本明細書に記載する１つ以上の通信方式を用いることができる。
【０２５４】
一部実施形態では、本開示におけるセンサポート１０１が薬剤投与装置に物理的に組み込まれている。図２２を参照するに、薬剤投与装置１０００のハウジングに物理的に組み込まれるセンサポート１０１を含む薬剤投与装置１０００が配設してある。図２２に示されるように、薬剤投与装置１０００には随意選択的なディスプレイ装置１０１０および随意選択的な入力装置１０２０を含めることもできる。薬剤投与装置１０００はまた、注入針１０４０を含む人体装着ポンプ要素１０３０に接続するように図示してある。
【０２５５】
一部実施形態では、本開示におけるセンサポート１０１は使い捨て式人体装着薬剤投与装置に物理的に組み込まれる。図２３を参照するに、薬剤投与装置２０００のハウジングに物理的に組み込まれるセンサポート１０１を含む薬剤投与装置２０００が配設してある。図２３に示されるように、薬剤投与装置２０００には随意選択的なディスプレイ装置２０１０と随意選択的な入力装置２０２０を含めることもできる。薬剤投与装置２０００は、注入針２０３０を含む使い捨て型の人体装着薬剤投与装置として構成される。
【０２５６】
例えば一体化システム等の薬剤投与装置および／またはシステムに関するさらなる情報は、２００６年１０月５日出願の「Ｍｅｔｈｏｄ  ａｎｄ  Ｓｙｓｔｅｍ  ｆｏｒ  Ｐｒｏｖｉｄｉｎｇ  Ｉｎｔｅｇｒａｔｅｄ  Ｍｅｄｉｃａｔｉｏｎ  Ｉｎｆｕｓｉｏｎ  ａｎｄ  Ａｎａｌｙｔｅ  Ｍｏｎｉｔｏｒｉｎｇ  Ｓｙｓｔｅｍ」と題する米国特許出願公開第２００６／０２２４１４１号明細書、２００４年１２月１６日出願の「Ｇｌｕｃｏｓｅ  Ｍｅａｓｕｒｉｎｇ  Ｍｏｄｕｌｅ  ａｎｄ  Ｉｎｓｕｌｉｎ  Ｐｕｍｐ  Ｃｏｍｂｉｎａｔｉｏｎ」と題する米国特許出願公開第２００４／０２５４４３４号明細書に提供されており、それらの開示はそれぞれ参照により本明細書に組み込まれる。本明細書に記載するセンサポートを含むアナライト計を配設することのできる薬剤投与装置は、例えば針やシリンジやポンプやカテーテルや吸入器や経皮パッチあるいはそれらの組み合わせを含む。一部実施形態では、薬剤投与装置あるいはシステムはアナライト計のハウジング内に組み込まれたペン型注入装置等の薬剤投与注入ペンの形とすることができる。さらなる情報は、米国特許第５，５３６，２４９号明細書と５，９２５，０２１号明細書に提供されており、各開示は参照により本明細書に組み込まれる。
【０２５７】
薬剤投与システムは、処方された薬剤投与量に基づきインシュリン等の薬剤の投与量を患者に注射するのに用いることができ、アナライト計から受け取った投与情報でもって自動的に更新することができる。別の実施形態では、薬剤投与システムの薬剤投与には例えばアナライト計のハウジングに結合した随意選択的な入力装置を介して行なわれる手動の投与量変更入力を含めることができる。薬剤投与システムに関連する薬剤投与量情報は、アナライト計のハウジング上に配置された随意選択的なディスプレイ装置に表示することができる。
【０２５８】
アナライト検出システム
本明細書に記載するアナライト計１００は、１つ以上のアナライト検出システムの構成要素とすることができる。例えば、本開示におけるアナライト検出システムには、当分野で知られている１つ以上のサンプル取得および／または試験要素に加え、本明細書に記載するアナライト計１００を含めることができる。一実施形態では、本開示におけるアナライト検出システムは、アナライトセンサ、例えば本明細書に記載するアナライトセンサ２００やアナライトセンサ３００とランセットを含む。一部実施形態では、アナライトセンサ２００とアナライトセンサ３００は試験片の形をとる。
【０２５９】
一部実施形態では、試験帯片の形のランセットやランセットセンサ２００あるいはアナライトセンサ３００をアナライト計１００のハウジングに組み込む。特定の実施形態では、複数のアナライトセンサおよび複数のランセットをアナライト計１００のハウジングに組み込む。別の実施形態では、ランセットと試験片はアナライト計のハウジングには組み込まれてないが、その代りに別個の構成要素としてシステム内に含まれる。
【０２６０】
試験片をアナライト計１００のハウジング内に組み込む場合、ハウジングはシステムの作動時に使用する試験片を収容する１つ以上のカートリッジあるいはマガジンを保持する構成とすることができる。同様に、ランセットはアナライト計１００のハウジング内に組み込む場合、このハウジングはシステムの作動時に使用するランセットを収容する１つ以上のカートリッジあるいはマガジンを保持する構成とすることができる。
【０２６１】
本明細書に記載したアナライト計を組み込んだ追加のシステムは、本開示を読むときに当業者には即明らかとなろう。
【０２６２】
アナライト
様々なアナライトを検出し、開示するアナライトセンサとアナライト計を用いて定量化することができる。特定することのできるアナライトには、例えばアセチルコリン、アミラーゼ、ビリルビン、コレステロール、絨毛ゴナドトロピン、クレアチンキナーゼ（例えば、ＣＫ−ＭＢ）、クレアチン、ＤＮＡ、フルクトサミン、ブドウ糖、グルタミン、成長ホルモン、ホルモン類、ケトン類（例えば、ケトン体）、乳酸塩、酸素、過酸化物、前立腺特異抗原、プロトロンビン、ＲＮＡ、甲状腺刺激ホルモン、トロポニンを含めることができる。例えば抗生物質（例えば、ゲンタマイシンやバンコマイシン等）、ジギトキシン、ジゴキシン、濫用薬物、テオフィリン、ワルファリン等の薬物濃度もまた、特定することができる。ＤＮＡおよび／またはＲＮＡの濃度を特定するのに適したアッセイは、米国特許第６，２８１，００６号明細書や米国特許第６，６３８，７１６号明細書に開示されており、これら開示はそれぞれ参照により本明細書に組み込まれる。
【０２６３】
健康管理システム
本明細書に記載するセンサポートを含むアナライト計や他の装置は、健康管理システムの１つの構成要素として作動させる構成とすることができる。例えば、一実施形態では、本明細書に記載するセンサポートを含むアナライト計や他の装置は、例えば本明細書に記載する通信装置を介して中央データリポジトリと通信する構成とされ、中央データリポジトリは特定ユーザ向けデータをアッセイして特定ユーザ向け治療管理データベース内に保存する構成とされる。本明細書に記載するセンサポートを含むアナライト計や他の装置と中央データリポジトリとの間の通信は、例えばアナライト計や他の装置が無線ネットワークの範囲内にあるときに、ユーザが始動させたり、あるいは自動的に行なうことができる。
【０２６４】
一実施形態では、本明細書に記載するセンサポートを含むアナライト計あるいは他の装置はユーザが使用する複数の装置のうちの１つであり、中央データリポジトリと交信する構成とされる。この実施形態では、中央データリポジトリは複数の装置からの入来データを集積する構成とすることができる。例えば、中央データリポジトリは１つ以上の個人向け携帯情報端末（ＰＤＡ）や携帯電話やｉＰｈｏｎｅ（Ｒ）等から受け取ったデータを統合する構成とすることができる。中央データリポジトリは、サーバおよび／またはコンピュータネットワーク上に配置することができ、また様々なソフトウェアおよび／またはハードウェア構成要素を適宜含めることができる。
【０２６５】
データは様々な方法、例えばテキストメッセージ送信や電子メールやマイクロブログサービス（例えば、Ｔｗｉｔｔｅｒ（ＴＭ））やボイスメールや他の任意の適当なメッセージ送信規格を介して装置から送信することができる。送信形式に応じ、データはユーザにより例えば電話番号、テキスト番号、電子メールアドレスやＴｗｉｔｔｅｒ（ＴＭ）アカウント等へ送信することができる。受信データには、管理対象健康状態に応じ様々な健康関連情報を含めることができる。例えば、糖尿病の場合では、中央データリポジトリが受け取ったデータには例えば食事データや運動データやインシュリン投与データや血中ブドウ糖データや血中ケトンデータ等を含めることができる。
【０２６６】
１つ以上のこれら装置から受け取った特定ユーザ向けデータは、本明細書に記載するセンサポートを含むアナライト計あるいは他の装置から受け取ったデータを併合することができる。一旦データを受け取ると、中央データリポジトリは例えば食事データや運動データやインシュリン投与データや血中ブドウ糖データや血中ケトンデータ等を含むメッセージを解明し、特定ユーザ向け治療管理データベースにしかるべくポピュレートする。
【０２６７】
特定ユーザ向け治療管理データベースは、それがユーザや健康管理プロバイダや他の適当な団体により閲覧および／または編集に向けアクセス可能となるよう構成することができる。例えば、特定ユーザ向け管理データベースへのアクセスは、ウェブサイト、例えば安全なウェブサイトを介して提供することができる。一実施形態では、特定ユーザ治療管理データベースはサーバ上でホスト処理され、システムはコンピュータから特定ユーザ向け治療管理データベースをホスト処理するサーバに特定ユーザ治療管理データベースへの有線あるいは無線ＩＰ接続を介して健康管理プロバイダが特定ユーザ向け治療管理データベースにアクセスできるよう構成される。
【０２６８】
健康管理システム関連のソフトウェアおよび／またはファームウェア
一実施形態では、本開示は健康管理システムの特定の機能、例えば糖尿病管理システムを促す１つ以上のソフトウェアアプリケーションを提供する。このようなソフトウェアアプリケーションは、例えば、本明細書に記載したアナライト計のメモリ内に常駐させることができる。別の選択肢として、あるいは加えて、この種のソフトウェアは本明細書に記載したように、アナライト計外部に位置するコンピュータやサーバおよび／またはネットワーク上に配置することができる。
【０２６９】
一実施形態では、このソフトウェアを本明細書に記載するアナライト計のメモリ内に常駐させ、アナライト計を例えばＵＳＢ接続を介して外部処理装置に接続したときに、例えば「プラグアンドプレイ」規格を介してデスクトップ型コンピュータやラップトップ型コンピュータ等の外部処理装置上で自動的に起動させる構成とされる。
【０２７０】
別の実施形態では、この種のソフトウェアをデスクトップ型コンピュータやラップトップ型コンピュータ等の外部処理装置のメモリ内に常駐させ、アナライト計を例えばＵＳＢ接続を介して外部処理装置に接続したときに外部処理装置上で自動的に起動させる構成とする。
【０２７１】
別の実施形態では、この種のソフトウェアを本明細書に記載するアナライト計のメモリ内に常駐させ、アナライト計自体において実行する構成とされる。
【０２７２】
別の実施形態では、この種のソフトウェアをアナライト計以外の処理装置のメモリ内に常駐させ、処理装置そのものにおいて実行する構成とされる。
【０２７３】
インスタントメッセージング
この種の１つのソフトウェアアプリケーションは、データ表示と健康管理用のアッセイツールの提供に加え、インスタントメッセージング（ＩＭ）機能もまた提供する。
【０２７４】
例えば、一実施形態では、健康管理ソフトウェア、例えば糖尿病管理ソフトウェアが提供され、これが健康管理ソフトウェアを用いる健康管理プロバイダがユーザの健康に関連するデータ、例えば糖尿病関連データを吟味し、コメントや治療推奨および／またはスケジュール策定情報をユーザがアクセス可能なインタフェースにＩＭを介して送信できるようにする。このインタフェースは、例えばユーザのパーソナルコンピュータや携帯電子装置や本明細書に先に説明した通信機能を有するアナライト計としうる。
【０２７５】
一実施形態では、健康管理ソフトウェア、例えば糖尿病管理ソフトウェアが提供され、これが末端ユーザが健康管理ソフトウェアを利用して末端ユーザの健康に関するデータ、例えば糖尿病関連データを吟味し、健康管理プロバイダがアクセス可能なインタフェースに対しＩＭを介してコメントや質問および／またはアナライト計測結果を送信できるようにする。
【０２７６】
上記の機能は単一のソフトウェアアプリケーションに組み合わせられ、健康管理プロバイダと末端ユーザが末端ユーザの健康に関連するデータを吟味し、ソフトウェアアプリケーション内に組み込まれたＩＭ機能を介して相互に通信できるようにすることができる。
【０２７７】
ＩＭ機能を一体化され、すなわち「組み込まれた」健康管理ソフトウェアはまた、末端ユーザに、例えばソフトウェア自体あるいはアナライト計や健康管理システムに関連して用いられる他の製品に関する製品サポート情報を提供すべく、末端ユーザと顧客サポート代理者との間で通信できるよう用いることができる。
【０２７８】
一実施形態では、健康管理ソフトウェアは例えば、製品サポート専門家や健康管理専門家、例えば糖尿病管理専門家や製品販売専門家の中からＩＭ受取人を選択するよう末端ユーザを促す構成とされる。
【０２７９】
健康管理ソフトウェアのＩＭ機能により用いられる通信モードは、テキスト準拠や音声準拠および／またはビデオ準拠とすることができる。ＩＭ通信に対する応答は必ずしも実時間とは限らないことに、留意されたい。
【０２８０】
ＩＭ機能を提供する構成とされたソフトウェアアプリケーションは、アナライト監視装置、例えば本明細書に説明するアナライト計内に格納しかつ／またはそこから実行することができる。別の選択肢として、ソフトウェアアプリケーションはスマートフォン装置やＰＤＡやサーバ装置やラップトップ型あるいはデスクトップ型コンピュータ等の処理装置内に記憶させかつ／またはそこから実行することができる。
【０２８１】
健康管理ソフトウェア用レポートプラグイン
一実施形態では、本開示は新規レポートの独立型健康管理ソフトウェアアプリケーションへの完全な組み込みを規定するレポートのプラグインアプリケーションを組み込むことのできる独立型健康管理ソフトウェアアプリケーションを提供する。このような健康管理ソフトウェアアプリケーションは、アナライト監視装置、例えば本明細書に説明するアナライト計内に記憶させかつ／またはそこから実行することができる。別の選択肢として、ソフトウェアアプリケーションはスマートフォン装置やＰＤＡやサーバ装置やラップトップ型あるいはデスクトップ型コンピュータ等の処理装置に記憶させかつ／またはそこから実行することができる。
【０２８２】
レポートのプラグインアプリケーションは、独立型健康管理ソフトウェアアプリケーションの起動時および／またはメニュー操作を介してユーザに利用可能とすることができる。例えば、一実施形態では、健康管理ソフトウェアアプリケーションは所定の「組み込み」レポートでもってユーザに供給される。その後のある時点で、１つ以上の新規に発行されたレポートでもって組み込みレポート群を増強することができる。ユーザには、例えば健康管理ソフトウェアアプリケーションの起動時に表示されるメッセージにより追加のレポートを知らせることができる。
【０２８３】
一実施形態では、ユーザが新規レポートを受容すると、この新規レポートは独立型健康管理ソフトウェアアプリケーションに完全に組み込まれ、すなわち新規レポートは既存のレポート群に共通する全ての機能を含む。この種の機能には、例えば（Ａ）既存のあるいは新規のダッシュボード内へのレポートの取り込み、（Ｂ）他のアプリケーション構成要素、例えばダッシュボード上に表示された他のレポートへのユーザ事象データの中継、（Ｃ）他のアプリケーション構成要素、例えばダッシュボード上に表示された他のレポートからのユーザ事象データの受け取り、（Ｄ）アプリケーション印刷エンジンを用いたレポートの印刷、（Ｅ）ユーザにより可能なレポートのアンインストール、（Ｆ）改版方式の実装による複数版の同一レポートのサポートを含めることができる。
【０２８４】
本明細書において使用する用語「ダッシュボード」は、複数の構成要素報告を含む健康管理ソフトウェアアプリケーションの視覚化構成要素を指すのに用いられる。健康管理ソフトウェアアプリケーションは、異なる組み合わせを有する複数のダッシュボードおよび／または表示されたレポートの構成を提供するよう構成することができる。
【０２８５】
健康管理ソフトウェアは当該分野では知られており、例えばカルフォニア州ＡｌａｍｅｄａのＡｂｂｏｔ  Ｄｉａｂｅｔｅｓ  Ｃａｒｅ  Ｉｎｃ．社から入手可能なＣｏＰｉｌｏｔ（ＴＭ）健康管理システムやＰｒｅｃｉｓｉｏｎＷｅｂ（ＴＭ）看護時点データ管理システムを含む。
【０２８６】
一実施形態では、本開示が提供する健康管理ソフトウェアアプリケーションは糖尿病管理ソフトウェアアプリケーションである。この種のアプリケーションは、糖尿病管理に関する１つ以上のレポート、例えば日誌リストレポート、ブドウ糖食事時間毎レポート、ブドウ糖ラインレポート、ブドウ糖平均レポート、ブドウ糖棒グラフレポート、ブドウ糖円グラフレポート、日誌レポート、実験および試験記録レポート、統計レポート、日常複合視点レポート、週間ポンプレビューレポート、ＨＣＰグループアッセイレポートを運用する構成とすることができる。例えば、「ｗｗｗ．」に続いて、「ａｂｂｏｔｔｄｉａｂｅｔｅｓｃａｒｅ．ｃｏｍ／ｓｔａｔｉｃ／ｃｏｎｔｅｎｔ／ｄｏｃｕｍｅｎｔ／ＡＲＴ１２５４２＿Ｒｅｖ−Ａ＿ＵＳ＿Ｅｎｇｌｉｓｈ．ｐｄｆ」で位置特定されるウェブアドレスにてオンラインで入手可能なＣｏＰｉｌｏｔ（ＴＭ）健康管理システム第４版ユーザ手引き書を参照されたく、その開示は参照により本明細書に組み込まれる。
【０２８７】
健康管理ソフトウェア用のカスタマイズ可能なダッシュボード
一実施形態では、本開示は健康状態、例えば糖尿病の管理用のカスタマイズ可能なダッシュボードを含む独立型の健康管理ソフトウェアアプリケーションを提供する。この種の健康管理ソフトウェアアプリケーションは、アナライト監視装置、例えば本明細書に記載するアナライト計に記憶させかつ／またはそこから実行することができる。別の選択肢として、ソフトウェアアプリケーションは、スマートフォン装置やＰＤＡやサーバ装置やラップトップ型またはデスクトップ型コンピュータ等の処理装置に格納しかつ／またはそこから実行することができる。
【０２８８】
健康管理ソフトウェアは、ユーザに対し選択対象となるダッシュボード選択肢を提示する「Ｃｒｅａｔｅ  Ｄａｓｈｂｏａｒｄ  Ｗｉｚａｒｄ（ダッシュボード作成ウィザード）」機能を用い、末端ユーザが新規ダッシュボードを作成し、かつ／または健康管理ソフトウェアの既存のダッシュボードを修正できるよう構成することができる。一実施形態では、健康管理ソフトウェアは、末端ユーザあるいは健康管理プロバイダがダッシュボードに名称を付し、あるいは改名してそれが即識別可能にできるよう構成される。
【０２８９】
別の実施形態では、健康管理ソフトウェアは、特定のダッシュボード、例えばユーザが構成したダッシュボード内に含まれるレポートがダッシュボード内に含まれるいずれかの個人的なレポートに対する閲覧をユーザが変更した結果として、一斉に動的にリフレッシュされるよう構成される。例えば、ユーザがダッシュボード内に含まれるブドウ食事時間毎レポートについての閲覧期間を変更した場合、健康管理ソフトウェアはダッシュボード内に含まれる１つ以上の追加のレポートのそれぞれがブドウ糖食事時間毎レポート用に選択されるのと同じ期間を用いてリフレッシュされるよう構成することができる。
【０２９０】
ダッシュボード内のレポートは同じ期間（正確な時系列配置）でもってリフレッシュすることができ、あるいは各追加のレポートが先のあるいは後続の期間（一連の時系列配置）を提示することができる。追加の系列配置関係もまた、可能である。
【０２９１】
別の実施形態では、健康管理ソフトウェアは、健康管理ソフトウェアおよび／または健康管理プロバイダの他のユーザに対し、例えばインターネット接続を介してユーザがダッシュボードを発行しかつ／または配給できるよう構成される。同様に、健康管理プロバイダはダッシュボードを展開し、このダッシュボードを１つ以上のユーザ（例えば、ダッシュボードを彼／彼女の患者に配給する主看護施与者）に配給しうる。
【０２９２】
一実施形態では、健康管理ソフトウェアはアプリケーションの起動時に更新について自動的に点検するよう構成される。別の選択肢として、あるいは加えて、この種の点検をユーザにより開始させることができる。更新には、例えば健康管理ソフトウェアの製造業者やその取引先や健康管理プロバイダが展開する新規ダッシュボードを含めることができる。
【０２９３】
糖尿病管理計器およびアプリケーションソフトウェアのための食事摂取リマインダ
一実施形態では、本開示は食事の摂取量データ入力用のリマインダアルゴリズムを含む糖尿病管理ソフトウェアアプリケーションを提供する。
【０２９４】
この種の一実施形態では、アルゴリズムは、ユーザに対し例えばアナライト計や携帯処理装置（例えば、スマートフォンやｉＰｈｏｎｅ（Ｒ）やラップトップやＰＤＡ）および／またはコンピュータ上で食事摂取データを入力させるリマインダの提示に帰結する。食事摂取データには、例えば食事摂取時間や料理成分組成や料理成分定量化（例えば、グラム単位の炭水化物）を含めることができる。
【０２９５】
アルゴリズムは、（ａ）ユーザによりかつ／またはＨＣＰにより確立されたデータ入力頻度と食事内容とを含む「リマインダプロファイル」と、（ｂ）データ入力回数と、一日のうちにかつ所定の期間内に既に入力された入力ごとの食事成分と、（ｃ）一日あるいは期間のリマインダに合わせ消費する食事のタイプに関する推奨のうちの１つ以上に基づき、リマインダを提示することができる。
【０２９６】
一実施形態では、リマインダアルゴリズムは、ユーザが作成し、ユーザあるいはＨＣＰが構成したリマインダプロファイルと比較対照された食事摂取データ入力履歴のアッセイに基づき、ユーザにリマインダを提供する構成とされる。
【０２９７】
アルゴリズムは、全データ集合を何日有するか、部分的すなわち一部欠落データを何日有するか、データを何日全く有していないかを示す、ユーザが作成したデータ入力から要約結果を生成することができる。加えて、アルゴリズムは毎日の食事成分に関連するデータを生成し、規定時間間隔で（例えば、当月の１週間ごとに）累積的な要約を生成することができる。
【０２９８】
リマインダプロファイルは、ユーザあるいは医師や臨床専門医や看護士等の有資格健康管理プロバイダにより構成することができる。
【０２９９】
一実施形態では、アルゴリズムがアナライト計、例えばブドウ糖計上で実行する構成とされている場合、アナライト計は（ａ）計器のユーザインタフェースを用いて健康管理プロバイダにより直接に、または（ｂ）アナライト計とのインタフェースをとるデータ管理システムを介するか、または（ｃ）別の携帯処理装置を介するかのいずれかにより、リマインダプロファイルを用いて構成することができる。
【０３００】
リマインダアルゴリズムは、何回の食事摂取入力を行なったかや、どの程度のスケジュールとリマインダプロファイルを完了したかに関し、何時でもユーザにフィードバックを提供する構成とすることができる。
【０３０１】
上記のリマインダアルゴリズムは食事摂取データ入力リマインダの関連において説明したが、追加のアルゴリズムならびに関連するリマインダを本明細書に記載するアナライト計および／または健康管理システム、例えばアナライト計測値リマインダあるいは他の治療リマインダと共に使用するよう構成できることに留意されたい。
【０３０２】
シミュレーションに基づくアナライトモニタタイプの推奨
一部実施形態では、本開示は、シミュレーションデータに基づき複数のアナライトモニタおよび／またはシステムの中からアナライトモニタおよび／またはシステムをユーザに合わせ選択する方法を提供する。ＣＧＭ、ＧｏＤおよびＳＭＢＧアナライト監視装置および／またはシステムは、本明細書において先に、かつ参照により本明細書に取り込まれた材料にて説明してある。一実施形態では、本開示は、ＣＧＭ装置および／またはシステムとＧｏＤ装置および／またはシステムおよびＳＭＢＧ装置および／またはシステムの中からブドウ糖監視装置および／またはシステムを選択する方法を提供する。本方法は、特定のユーザに合わせ記録された複数の食事および／または修正事象を考慮した各装置および／またはシステム用のシミュレーションの実行を含む。本方法は、特定の装置および／またはシステムに利用可能なこれら事象に関連してブドウ糖履歴や食事情報やインシュリン投与情報を用い、その特定の装置および／またはシステム向けにそのユーザ特有の最適パラメータを算出する。
【０３０３】
例えば、一実施形態では、ＳＭＢＧ装置および／またはシステムのためのシミュレーションは、食事のボーラス事象ごとにボーラスがブドウ糖の動向情報ではなく、食事情報とブドウ糖濃度に基づくことが前提となる。一実施形態では、ＧｏＤ装置および／またはシステム用のシミュレーションは、動向情報をボーラス算出にも考慮する点を除き、ＳＭＢＧ装置および／またはシステム用のそれと類似の情報を含む。一実施形態では、ＣＧＭ装置および／またはシステムについてのシミュレーションは、ブドウ糖計測値が高低の閾値を超えるときは常にブドウ糖濃度と動向情報とに基づき修正ボーラスを行なうことが前提となる。別の選択肢として、もしくは加えて、ＣＧＭシミュレーションは高低の推定閾値に基づく修正のきっかけとなるよう考慮することができる。シミュレーション結果に基づく尺度は、容認可能なブドウ糖制御の指示を提供するのに用いることができる。特定の患者および／またはユーザ向けの適切な装置を特定すべく、本方法は健康管理専門家が利用することができる。
【０３０４】
前述の内容は、単に本発明原理を例示するに過ぎない。本明細書に明示的に記載あるいは図示していないものの、本発明の原理を具現し、その趣旨ならびに範囲内に含まれる様々な構成を当業者は案出することができよう。さらに、本明細書に引用する全ての実例や条件を示す文言は、原則的には発明者によって技術の促進に貢献した本発明の原理および概念を読者が理解するのを助けることを意図するものであり、この種の特別に引用された実例や条件に限定されることなく解釈されるべきである。さらに、原理や態様や本発明の態様と加えてその具体例を具陳する本明細書の全ての説明は、その構造的かつ機能的な均等物の両方を包含するよう意図するものである。加えて、この種の均等物は、現在知られている均等物と将来開発される均等物の両方、すなわち構造の如何によらず同じ機能を果すよう開発されるあらゆる要素を含むことを意図するものである。本発明の範囲はそれ故、本明細書に示し説明した例示態様に限定されるよう意図するものではない。むしろ、本発明の範囲ならびに趣旨は添付の特許請求の範囲により具現化される。
【図１】
0005855017.tif 000002
【図２Ａ】
0005855017.tif 000003
【図２Ｂ】
0005855017.tif 000004
【図３Ａ】
0005855017.tif 000005
【図３Ｂ】
0005855017.tif 000006
【図３Ｃ】
0005855017.tif 000007
【図４Ａ】
0005855017.tif 000008
【図４Ｂ】
0005855017.tif 000009
【図４Ｃ】
0005855017.tif 000010
【図５Ａ】
0005855017.tif 000011
【図５Ｂ】
0005855017.tif 000012
【図６Ａ】
0005855017.tif 000013
【図６Ｂ】
0005855017.tif 000014
【図７Ａ】
0005855017.tif 000015
【図７Ｂ】
0005855017.tif 000016
【図８Ａ】
0005855017.tif 000017
【図８Ｂ】
0005855017.tif 000018
【図８Ｃ】
0005855017.tif 000019
【図９Ａ】
0005855017.tif 000020
【図９Ｂ】
0005855017.tif 000021
【図１０】
0005855017.tif 000022
【図１１】
0005855017.tif 000023
【図１２】
0005855017.tif 000024
【図１３】
0005855017.tif 000025
【図１４Ａ】
0005855017.tif 000026
【図１４Ｂ】
0005855017.tif 000027
【図１４Ｃ】
0005855017.tif 000028
【図１４Ｄ】
0005855017.tif 000029
【図１４Ｅ】
0005855017.tif 000030
【図１５Ａ】
0005855017.tif 000031
【図１５Ｂ】
0005855017.tif 000032
【図１６】
0005855017.tif 000033
【図１７】
0005855017.tif 000034
【図１８】
0005855017.tif 000035
【図１９】
0005855017.tif 000036
【図２０】
0005855017.tif 000037
【図２１Ａ】
0005855017.tif 000038
【図２１Ｂ】
0005855017.tif 000039
【図２２】
0005855017.tif 000040
【図２３】
0005855017.tif 000041